(57)【要約】  本願の実施形態は、ダウンリンク制御情報の伝送方法、ブラインド検出回数を取得するための方法及び装置を提供する。ダウンリンク制御情報の伝送方法は、端末デバイスにより、予め設定された持続時間において少なくとも２つの探索空間が存在すると判定する段階と、端末デバイスにより、少なくとも２つの探索空間におけるブラインド検出を第１情報に基づいて実行する段階であって、第１情報は、少なくとも２つの探索空間におけるブラインド検出を実行することを端末デバイスに示すために用いられ、少なくとも２つの探索空間における端末デバイスの総ブラインド検出回数は、予め設定された持続時間における端末デバイスの最高ブラインド検出回数を超えない、段階とを含む。端末デバイスは、予め設定された持続時間における探索空間の数を判定し、探索空間の数が少なくとも２つである場合、第１情報に基づいてブラインド検出を実行することで、少なくとも２つの探索空間における端末デバイスの総ブラインド検出回数が予め設定された持続時間における端末デバイスの最高ブラインド検出回数を超えないことを確保し、端末デバイスのブラインド検出能力の無駄も省く。
2020537852.tif 000002
【特許請求の範囲】
【請求項１】
ダウンリンク制御情報の伝送方法であって、
端末デバイスにより、予め設定された持続時間において少なくとも２つの探索空間が存在すると判定する段階と、
前記端末デバイスにより、前記少なくとも２つの探索空間におけるブラインド検出を第１情報に基づいて実行する段階であって、前記第１情報は、前記少なくとも２つの探索空間におけるブラインド検出を実行することを前記端末デバイスに示すために用いられ、前記少なくとも２つの探索空間における前記端末デバイスの総ブラインド検出回数は、前記予め設定された持続時間内の前記端末デバイスの最高ブラインド検出回数を超えない、段階と
を備える方法。
【請求項２】
前記少なくとも２つの探索空間のいずれか２つは異なる期間を有する、又は、前記少なくとも２つの探索空間のいずれか２つは同一の周期及び同一のオフセットを有する、請求項１に記載の方法。
【請求項３】
前記第１情報は、
ダウンリンク制御情報の長さ情報、予め設定された候補位置情報、予め設定された探索空間情報、前記探索空間のうちの少なくとも１つについての優先度情報又は予め設定されたアグリゲーションレベルに関する情報のうちの少なくとも１つを有する、請求項１又は２に記載の方法。
【請求項４】
前記端末デバイスにより、前記少なくとも２つの探索空間におけるブラインド検出を第１情報に基づいて実行する前記段階は、
前記端末デバイスにより、前記少なくとも２つの探索空間内のいくつかの探索空間におけるブラインド検出を実行する段階と、
前記端末デバイスのブラインド検出回数が前記最高ブラインド検出回数に達していない場合、前記端末デバイスにより、前記少なくとも２つの探索空間内の前記いくつかの探索空間以外の探索空間におけるブラインド検出を実行する段階と
を有する、請求項１から３のいずれか一項に記載の方法。
【請求項５】
前記第１情報は、前記探索空間のうちの少なくとも１つについての優先度情報を有し、前記端末デバイスにより、前記少なくとも２つの探索空間におけるブラインド検出を第１情報に基づいて実行する前記段階は、
前記端末デバイスにより、前記少なくとも２つの探索空間におけるブラインド検出を前記優先度情報に基づいて実行する段階を有する、請求項１から４のいずれか一項に記載の方法。
【請求項６】
前記端末デバイスにより、前記少なくとも２つの探索空間におけるブラインド検出を前記優先度情報に基づいて実行する前記段階は、
前記端末デバイスにより、前記ダウンリンク制御情報が検出されるまで、又は、前記ブラインド検出回数が前記端末デバイスの前記最高ブラインド検出回数に達するまで、又は、前記端末デバイスが前記少なくとも２つの探索空間におけるブラインド検出を完了するまで、前記少なくとも２つの探索空間におけるブラインド検出を優先度に基づいて降順に連続的に実行する段階を有する、請求項５に記載の方法。
【請求項７】
前記方法は、
前記端末デバイスにより、前記探索空間のタイプに関する情報、前記探索空間の周期、前記探索空間のサブキャリア間隔情報、前記探索空間により占有されるシンボルに関する情報又はスロット内の前記探索空間の開始位置に関する情報のうちの少なくとも１つに基づいて、前記少なくとも２つの探索空間の前記優先度を判定する段階をさらに備える、請求項５又は６に記載の方法。
【請求項８】
前記探索空間の前記タイプは、共通の探索空間及び特定の探索空間を有し、
前記共通の探索空間の優先度は、前記特定の探索空間の優先度より高い、請求項７に記載の方法。
【請求項９】
前記方法は、
前記端末デバイスにより、前記第１情報をネットワークデバイスから受信する段階をさらに備える、請求項１から８のいずれか一項に記載の方法。
【請求項１０】
前記端末デバイスにより、前記少なくとも２つの探索空間におけるブラインド検出を第１情報に基づいて実行する前記段階の前に、前記方法は、
前記端末デバイスにより、前記少なくとも２つの探索空間に対応する前記総ブラインド検出回数が、前記端末デバイスの前記最高ブラインド検出回数より多いと判定する段階をさらに備える、請求項１から９のいずれか一項に記載の方法。
【請求項１１】
ブラインド検出回数を取得するための方法であって、
端末デバイスにより、ネットワークデバイスから第２情報を受信する段階であって、前記第２情報は、サブキャリア間隔情報を有する、段階と、
前記端末デバイスにより、前記サブキャリア間隔情報に基づいて、探索空間における前記端末デバイスの最高ブラインド検出回数を判定する段階と
を備える方法。
【請求項１２】
前記サブキャリア間隔情報により示されるサブキャリア間隔が１５ｋＨｚより大きい場合、前記探索空間における前記端末デバイスの前記最高ブラインド検出回数は４４回より少ない、請求項１１に記載の方法。
【請求項１３】
前記サブキャリア間隔情報により示されるより大きいサブキャリア間隔は、より少ない最高ブラインド検出回数を示す、請求項１１又は１２に記載の方法。
【請求項１４】
前記端末デバイスにより、前記サブキャリア間隔情報に基づいて、探索空間における前記端末デバイスの最高ブラインド検出回数を判定する前記段階は、
前記端末デバイスにより、アグリゲートされるキャリアの数に関する情報及び前記サブキャリア間隔情報に基づいて、各キャリア上の探索空間における前記端末デバイスの最高ブラインド検出回数を判定する段階を有する、請求項１１から１３のいずれか一項に記載の方法。
【請求項１５】
前記探索空間における前記端末デバイスの前記最高ブラインド検出回数は、各キャリア上の前記端末デバイスの前記最高ブラインド検出回数と、前記アグリゲートされるキャリアの数との積である、請求項１４に記載の方法。
【請求項１６】
端末デバイスにより、ネットワークデバイスから第２情報を受信する前記段階の前に、前記方法は、
前記端末デバイスにより、前記端末デバイスによりサポートされ得る最高ブラインド検出回数を前記ネットワークデバイスに送信する段階をさらに備える、請求項１１から１５のいずれか一項に記載の方法。
【請求項１７】
ダウンリンク制御情報の伝送方法であって、
ネットワークデバイスにより、送信対象のダウンリンク制御情報を判定する段階と、
前記ネットワークデバイスにより、予め設定された持続時間において、少なくとも２つの探索空間における前記ダウンリンク制御情報を第１情報に基づいて送信する段階と
を備え、
前記第１情報は、前記少なくとも２つの探索空間における前記ダウンリンク制御情報を受信することを端末デバイスに示すために用いられる、方法。
【請求項１８】
前記少なくとも２つの探索空間のいずれか２つは異なる期間を有する、又は、前記少なくとも２つの探索空間のいずれか２つは同一の周期及び同一のオフセットを有する、請求項１７に記載の方法。
【請求項１９】
前記第１情報は、
前記ダウンリンク制御情報の長さ情報、予め設定された候補位置情報、予め設定された探索空間情報、前記探索空間のうちの少なくとも１つについての優先度情報又は予め設定されたアグリゲーションレベルに関する情報のうちの少なくとも１つを有する、請求項１７又は１８に記載の方法。
【請求項２０】
前記第１情報は、前記探索空間のうちの前記少なくとも１つについての前記優先度情報を有し、前記ネットワークデバイスにより、少なくとも２つの探索空間における前記ダウンリンク制御情報を第１情報に基づいて送信する前記段階は、
前記ネットワークデバイスにより、前記少なくとも２つの探索空間における前記ダウンリンク制御情報を前記優先度情報に基づいて送信する段階を有する、請求項１７から１９のいずれか一項に記載の方法。
【請求項２１】
前記ネットワークデバイスにより、前記少なくとも２つの探索空間における前記ダウンリンク制御情報を前記優先度情報に基づいて送信する前記段階は、
前記ネットワークデバイスにより、前記少なくとも２つの探索空間における前記ダウンリンク制御情報を優先度に基づいて降順に送信する段階を有する、請求項２０に記載の方法。
【請求項２２】
前記方法は、
前記ネットワークデバイスにより、前記探索空間のタイプに関する情報、前記探索空間の前記周期、前記探索空間のサブキャリア間隔情報、前記探索空間により占有されるシンボルに関する情報又はスロット内の前記探索空間の開始位置に関する情報のうちの少なくとも１つに基づいて、前記少なくとも２つの探索空間の前記優先度を判定する段階をさらに備える、請求項２０又は２１に記載の方法。
【請求項２３】
前記探索空間の前記タイプは、共通の探索空間及び特定の探索空間を有し、
前記共通の探索空間の優先度は、前記特定の探索空間の優先度より高い、請求項２２に記載の方法。
【請求項２４】
前記方法は、
前記ネットワークデバイスにより、前記第１情報を前記端末デバイスに送信する段階をさらに備える、請求項１７から２３のいずれか一項に記載の方法。
【請求項２５】
ブラインド検出回数を取得するための方法であって、
ネットワークデバイスにより、端末デバイスによりサポートされ得、かつ、前記端末デバイスからの最高ブラインド検出回数を受信する段階と、
前記ネットワークデバイスにより、前記端末デバイスに第２情報を送信する段階であって、前記第２情報は、サブキャリア間隔情報を有する、段階と
を備え、
前記サブキャリア間隔情報は、探索空間における前記端末デバイスの最高ブラインド検出回数を判定するために用いられる、方法。
【請求項２６】
装置であって、
予め設定された持続時間において少なくとも２つの探索空間が存在すると判定するように構成される探索空間検出モジュールと、
少なくとも２つの探索空間におけるブラインド検出を第１情報に基づいて実行するように構成されるブラインド検出モジュールであって、前記第１情報は、前記少なくとも２つの探索空間におけるブラインド検出を実行することを前記装置に示すために用いられ、前記少なくとも２つの探索空間における前記装置の総ブラインド検出回数は、前記予め設定された持続時間内の前記装置の最高ブラインド検出回数を超えない、ブラインド検出モジュールと
を備える装置。
【請求項２７】
前記少なくとも２つの探索空間のいずれか２つは異なる期間を有する、又は、前記少なくとも２つの探索空間のいずれか２つは同一の周期及び同一のオフセットを有する、請求項２６に記載の装置。
【請求項２８】
前記第１情報は、
ダウンリンク制御情報の長さ情報、予め設定された候補位置情報、予め設定された探索空間情報、前記探索空間のうちの少なくとも１つについての優先度情報又は予め設定されたアグリゲーションレベルに関する情報のうちの少なくとも１つを有する、請求項２６又は２７に記載の装置。
【請求項２９】
前記ブラインド検出モジュールは、具体的には、前記少なくとも２つの探索空間内のいくつかの探索空間におけるブラインド検出を実行し、
前記端末デバイスの前記ブラインド検出回数が前記最高ブラインド検出回数に達していない場合、前記少なくとも２つの探索空間内の前記いくつかの探索空間以外の探索空間におけるブラインド検出を実行する
するように構成される、請求項２６から２８のいずれか一項に記載の装置。
【請求項３０】
前記第１情報は、前記探索空間のうちの少なくとも１つについての前記優先度情報を有し、前記ブラインド検出モジュールは、具体的には、前記優先度情報に基づいて、前記少なくとも２つの探索空間におけるブラインド検出を実行するように構成される、請求項２６から２９のいずれか一項に記載の装置。
【請求項３１】
前記ブラインド検出モジュールは、具体的には、前記ダウンリンク制御情報が検出されるまで、又は、前記ブラインド検出回数が前記装置の前記最高ブラインド検出回数に達するまで、又は、前記少なくとも２つの探索空間におけるブラインド検出が完了するまで、少なくとも２つの探索空間におけるブラインド検出を優先度に基づいて降順に連続的に実行するように構成される、請求項３０に記載の装置。
【請求項３２】
前記装置は、優先度取得モジュールをさらに備え、前記優先度取得モジュールは、前記探索空間のタイプに関する情報、前記探索空間の前記周期、前記探索空間のサブキャリア間隔情報、前記探索空間により占有されるシンボルに関する情報又はスロット内の前記探索空間の開始位置に関する情報のうちの少なくとも１つに基づいて、前記少なくとも２つの探索空間の前記優先度を判定するように構成される、請求項３０又は３１に記載の装置。
【請求項３３】
前記探索空間の前記タイプは、共通の探索空間及び特定の探索空間を有し、
前記共通の探索空間の優先度は、前記特定の探索空間の優先度より高い、請求項３２に記載の装置。
【請求項３４】
前記装置は、第１情報をネットワークデバイスから受信するように構成される受信モジュールをさらに備える、請求項２６から３３のいずれか一項に記載の装置。
【請求項３５】
前記ブラインド検出モジュールは、さらに、前記少なくとも２つの探索空間に対応する前記総ブラインド検出回数が、前記装置の前記最高ブラインド検出回数より多いとを判定するように構成される、請求項２６から３４のいずれか一項に記載の装置。
【請求項３６】
装置であって、
ネットワークデバイスから第２情報を受信するように構成される受信モジュールであって、前記第２情報は、サブキャリア間隔情報を有する、受信モジュールと、
前記サブキャリア間隔情報に基づいて、探索空間における前記装置の最高ブラインド検出回数を判定するように構成されるブラインド検出回数取得モジュールと
を備える装置。
【請求項３７】
前記サブキャリア間隔情報により示されるサブキャリア間隔が１５ｋＨｚより大きい場合、前記探索空間における前記装置の前記最高ブラインド検出回数は４４回より少ない、請求項３６に記載の装置。
【請求項３８】
前記サブキャリア間隔情報により示されるより大きいサブキャリア間隔は、より少ない最高ブラインド検出回数を示す、請求項３６又は３７に記載の装置。
【請求項３９】
前記ブラインド検出回数取得モジュールは、具体的には、
アグリゲートされるキャリアの数に関する情報及び前記サブキャリア間隔情報に基づいて、各キャリア上の探索空間における前記装置の最高ブラインド検出回数を判定するように構成される、請求項３６から３８のいずれか一項に記載の装置。
【請求項４０】
前記探索空間における前記装置の前記最高ブラインド検出回数は、各キャリア上の前記装置の前記最高ブラインド検出回数と、前記アグリゲートされるキャリアの数との積である、請求項３９に記載の装置。
【請求項４１】
前記装置は、
前記装置によりサポートされ得る最高ブラインド検出回数を前記ネットワークデバイスに送信するように構成される送信モジュールをさらに備える、請求項３６から４０のいずれか一項に記載の装置。
【請求項４２】
装置であって、
送信対象のダウンリンク制御情報を判定するように構成されるダウンリンク制御情報取得モジュールと、
予め設定された持続時間内において、少なくとも２つの探索空間における前記ダウンリンク制御情報を第１情報に基づいて送信するように構成されるダウンリンク制御情報送信モジュールと
を備え、
前記第１情報は、前記少なくとも２つの探索空間における前記ダウンリンク制御情報を受信することを端末デバイスに示すために用いられる、装置。
【請求項４３】
前記少なくとも２つの探索空間のいずれか２つは異なる期間を有する、又は、前記少なくとも２つの探索空間のいずれか２つは同一の周期及び同一のオフセットを有する、請求項４２に記載の装置。
【請求項４４】
前記第１情報は、
前記ダウンリンク制御情報の長さ情報、予め設定された候補位置情報、予め設定された探索空間情報、前記探索空間のうちの少なくとも１つについての優先度情報又は予め設定されたアグリゲーションレベルに関する情報のうちの少なくとも１つを有する、請求項４２又は４３に記載の装置。
【請求項４５】
前記第１情報は、前記探索空間のうちの前記少なくとも１つについての前記優先度情報を有し、前記ダウンリンク制御情報送信モジュールは、具体的には、前記少なくとも２つの探索空間における前記ダウンリンク制御情報を前記優先度情報に基づいて送信するように構成される、請求項４２から４４のいずれか一項に記載の装置。
【請求項４６】
前記ダウンリンク制御情報送信モジュールは、具体的には、前記少なくとも２つの探索空間における前記ダウンリンク制御情報を優先度に基づいて降順に送信するように構成される、請求項４５に記載の装置。
【請求項４７】
前記装置は、
前記探索空間のタイプに関する情報、前記探索空間の前記周期、前記探索空間のサブキャリア間隔情報、前記探索空間により占有されるシンボルに関する情報又はスロット内の前記探索空間の開始位置に関する情報のうちの少なくとも１つに基づいて、前記少なくとも２つの探索空間の前記優先度を判定するように構成される優先度取得モジュールをさらに備える、請求項４５又は４６に記載の装置。
【請求項４８】
前記探索空間の前記タイプは、共通の探索空間及び特定の探索空間を有し、
前記共通の探索空間の優先度は、前記特定の探索空間の優先度より高い、請求項４７に記載の装置。
【請求項４９】
前記装置は、
前記第１情報を前記端末デバイスに送信するように構成される送信モジュールをさらに備える、請求項４２から４８のいずれか一項に記載の装置。
【請求項５０】
装置であって、
端末デバイスによりサポートされ得、かつ、前記端末デバイスからの最高ブラインド検出回数を受信するように構成される受信モジュールと、
前記端末デバイスに第２情報を送信するように構成される送信モジュールであって、前記第２情報は、サブキャリア間隔情報を有する、送信モジュールと
を備え、
前記サブキャリア間隔情報は、探索空間における前記端末デバイスの最高ブラインド検出回数を判定するために用いられる、装置。
【請求項５１】
プロセッサと、メモリと、コンピュータプログラムとを備える電子デバイスであって、前記コンピュータプログラムは、前記メモリに格納され、前記プロセッサは、前記コンピュータプログラムを実行して、請求項１から２５のいずれか一項に記載の方法を実行する、電子デバイス。
【請求項５２】
コンピュータ可読記憶媒体であって、前記コンピュータ可読記憶媒体は命令を格納しており、前記命令は、プロセッサにより実行される場合、請求項１から２５のいずれか一項に記載の方法が実施される、コンピュータ可読記憶媒体。
【請求項５３】
メモリと、プロセッサとを備えるチップであって、前記メモリは、コンピュータプログラムを格納するように構成され、前記プロセッサは、前記メモリから前記コンピュータプログラムを呼び出して、前記コンピュータプログラムを実行するように構成され、その結果、前記チップが搭載されている電子デバイスは、請求項１から２５のいずれか一項に記載の方法を実行する、チップ。
【請求項５４】
コンピュータプログラム製品であって、前記コンピュータプログラム製品は、コンピュータプログラムコードを備え、前記コンピュータプログラムコードがコンピュータ上で実行される場合、前記コンピュータは、請求項１から２５のいずれか一項に記載の方法を実行するために有効にされる、コンピュータプログラム製品。
【発明の詳細な説明】
【技術分野】
【０００１】
本願は、２０１７年１０月２０日に出願され、「ダウンリンク制御情報の伝送方法、ブラインド検出回数を取得するための方法及び装置」と題する中国特許出願第２０１７１０９８６６５９．２号に対する優先権を主張し、その全体が参照により本明細書に組み込まれる。
【０００２】
本願は、通信技術、特に、ダウンリンク制御情報の伝送方法、ブラインド検出回数を取得するための方法及び装置に関する。
【背景技術】
【０００３】
従来のロングタームエボリューション（Ｌｏｎｇ  Ｔｅｒｍ  Ｅｖｏｌｕｔｉｏｎ、ＬＴＥ）通信システムでは、データを受信又は送信する前に、端末デバイスは、端末デバイスに対してネットワークデバイスにより構成されるダウンリンク制御情報を取得する必要がある。端末デバイスがダウンリンク制御情報を取得する方式では、探索空間に含まれる複数の候補位置においてブラインド検出を実行している。ＬＴＥシステムにおいて、探索空間は通常、各サブフレームの第１のいくつかのシンボルに対応する周波数領域リソースを占有しており、端末デバイスは、各サブフレームの第１のいくつかのシンボルに対するブラインド検出を周期的に実行している。
【０００４】
ＬＴＥ通信システムとは異なり、第５世代新無線アクセス技術（５ｔｈ  Ｇｅｎｅｒａｔｉｏｎ  Ｎｅｗ  Ｒａｄｉｏ  Ａｃｃｅｓｓ  Ｔｅｃｈｎｏｌｏｇｙ、５Ｇ  ＮＲ）では、ネットワークデバイスは通常、端末デバイスに対して複数の独立した探索空間を構成する。各探索空間は、異なる期間及び異なるオフセットを有してよい。端末デバイスは、構成された探索空間の周期に基づいてブラインド検出を実行する。したがって、複数の探索空間が同時に重複している可能性があり、この場合、端末デバイスは、少なくとも２つの探索空間をブラインド検出する必要がある。
【０００５】
しかしながら、予め設定された持続時間における端末デバイスのブラインド検出回数の最大値がある。各探索空間において端末デバイスにより許容されるブラインド検出回数が端末デバイスの最高ブラインド検出回数に達した場合、重複する瞬間に、すべての探索空間における端末デバイスの総ブラインド検出回数は、端末デバイスにより許容され得る最大値を超える。各探索空間において端末デバイスにより許容されるブラインド検出回数が比較的小さい場合、例えば、端末デバイスの最高ブラインド検出回数の半分、又は、３分の１にしか達していない場合、重複する瞬間にすべての探索空間における端末デバイスの総ブラインド検出回数は、端末デバイスにより許容され得る最大値を超えてしまうことが回避され得る。しかしながら、重複していない瞬間において、端末デバイスのブラインド検出能力が無駄になる。従来のダウンリンク制御情報の伝送方法は不適切である。
【発明の概要】
【０００６】
本願の実施形態は、ダウンリンク制御情報の伝送方法、ブラインド検出回数を取得するための方法及び装置を提供し、従来のダウンリンク制御情報の伝送方法が不適切であるという課題を解決する。
【０００７】
第１態様によれば、本願の実施形態は、ダウンリンク制御情報の伝送方法を提供し、端末デバイス側に適用され、
端末デバイスにより、予め設定された持続時間において少なくとも２つの探索空間が存在すると判定する段階と、
端末デバイスにより、少なくとも２つの探索空間におけるブラインド検出を第１情報に基づいて実行する段階であって、第１情報は、少なくとも２つの探索空間におけるブラインド検出を実行することを端末デバイスに示すために用いられ、少なくとも２つの探索空間における端末デバイスの総ブラインド検出回数は、予め設定された持続時間における端末デバイスの最高ブラインド検出回数を超えない、段階とを含む。
【０００８】
可能な実施例において、少なくとも２つの探索空間のいずれか２つは、異なる期間を有する、又は、同一の周期及び同一のオフセットを有する。
【０００９】
可能な実施例において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【００１０】
可能な実施例において、第１情報は、ダウンリンク制御情報の長さ情報を含み、端末デバイスにより、少なくとも２つの探索空間におけるブラインド検出を第１情報に基づいて実行する段階は、
端末デバイスにより、少なくとも２つの探索空間において、長さ情報により示される長さのダウンリンク制御情報をブラインド検出する段階を含む。
【００１１】
可能な実施例において、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【００１２】
可能な実施例において、第１情報は、探索空間のうちの少なくとも１つについての優先度情報を含み、端末デバイスにより、少なくとも２つの探索空間におけるブラインド検出を第１情報に基づいて実行する段階は、
端末デバイスにより、少なくとも２つの探索空間におけるブラインド検出を優先度情報に基づいて実行する段階を含む。
【００１３】
可能な実施例において、端末デバイスにより、少なくとも２つの探索空間におけるブラインド検出を優先度情報に基づいて実行する段階は、
端末デバイスにより、ダウンリンク制御情報が検出されるまで、又は、ブラインド検出回数が端末デバイスの最高ブラインド検出回数に達するまで、又は、端末デバイスが少なくとも２つの探索空間におけるブラインド検出を完了するまで、少なくとも２つの探索空間におけるブラインド検出を優先度に基づいて降順に連続的に実行する段階を含む。
【００１４】
可能な実施例において、方法は、
端末デバイスにより、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定する段階をさらに含む。
【００１５】
可能な実施例において、第１情報は、ダウンリンク制御情報の長さ調整ステータス情報を含み、端末デバイスにより、少なくとも２つの探索空間におけるブラインド検出を第１情報に基づいて実行する段階は、
ダウンリンク制御情報の長さが調整されていることを第１情報が示す場合、端末デバイスにより、ダウンリンク制御情報の調整された長さを用いて、少なくとも２つの探索空間におけるダウンリンク制御情報をブラインド検出する段階を含む。
【００１６】
可能な実施例において、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【００１７】
可能な実施例において、方法は、
端末デバイスにより、ネットワークデバイスから第１情報を受信する段階をさらに含む。
【００１８】
可能な実施例において、端末デバイスにより、少なくとも２つの探索空間におけるブラインド検出を第１情報に基づいて実行する段階の前に、方法は、
端末デバイスにより、少なくとも２つの探索空間に対応する総ブラインド検出回数が、端末デバイスの最高ブラインド検出回数より多いと判定する段階をさらに含む。
【００１９】
可能な実施例において、第１情報は、予め設定された候補位置情報を含み、端末デバイスにより、少なくとも２つの探索空間におけるブラインド検出を第１情報に基づいて実行する段階は、
端末デバイスにより、少なくとも２つの探索空間における予め設定された候補位置情報により示される候補位置においてブラインド検出を実行する段階を含む。
【００２０】
可能な実施例において、第１情報は、予め設定された探索空間情報を含み、端末デバイスにより、少なくとも２つの探索空間におけるブラインド検出を第１情報に基づいて実行する段階は、
端末デバイスにより、少なくとも２つの探索空間における予め設定された探索空間情報により示される予め設定された探索空間におけるブラインド検出を実行する段階を含む。
【００２１】
可能な実施例において、第１情報は、予め設定されたアグリゲーションレベルに関する情報を含み、端末デバイスにより、少なくとも２つの探索空間におけるブラインド検出を第１情報に基づいて実行する段階は、
端末デバイスにより、少なくとも２つの探索空間における予め設定されたアグリゲーションレベルの候補位置をブラインド検出する段階を含む。
【００２２】
第２態様によれば、本願の実施形態は、さらに、端末デバイス側に適用されるブラインド検出回数を取得するための方法を提供し、
端末デバイスにより、ネットワークデバイスから第２情報を受信する段階であって、第２情報は、探索空間構成情報を含む、段階と、
端末デバイスにより、探索空間構成情報に基づいて、当該探索空間構成情報により示される探索空間における端末デバイスの最高ブラインド検出回数を判定する段階を含む。
【００２３】
可能な実施例において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【００２４】
可能な実施例において、端末デバイスにより、探索空間構成情報に基づいて、探索空間構成情報により示される探索空間における端末デバイスの最高ブラインド検出回数を判定する段階は、
端末デバイスにより、探索空間構成情報及び端末デバイスのマルチアンテナ構成情報に基づいて、探索空間構成情報により示される探索空間における端末デバイスの最高ブラインド検出回数を判定する段階であって、マルチアンテナ構成情報は、アンテナの数、コードワードの数及びレイヤの数のうちの少なくとも１つを含む、段階を含む。
【００２５】
可能な実施例において、端末デバイスにより、探索空間構成情報に基づいて、探索空間構成情報により示される探索空間における端末デバイスの最高ブラインド検出回数を判定する段階は、
端末デバイスにより、端末デバイスがリッスンする必要があるビーム及び／又は伝送ポイントの数と探索空間構成情報とに基づいて、各ビーム及び／又は伝送ポイントでの端末デバイスの最高ブラインド検出回数を判定する段階を含む。
【００２６】
可能な実施例において、端末デバイスにより、探索空間構成情報に基づいて、探索空間構成情報により示される探索空間における端末デバイスの最高ブラインド検出回数を判定する段階は、
端末デバイスにより、アグリゲートされるキャリアの数に関する情報及び探索空間構成情報に基づいて、各キャリアでの探索空間における端末デバイスの最高ブラインド検出回数を判定する段階を含む。
【００２７】
可能な実施例において、端末デバイスにより、ネットワークデバイスから第２情報を受信する段階の前に、方法は、
端末デバイスによりサポートされ得る最高ブラインド検出回数を、端末デバイスによりネットワークデバイスに送信する段階をさらに含む。
【００２８】
第３態様によれば、本願の実施形態は、ネットワークデバイス側に適用されるダウンリンク制御情報の伝送方法をさらに提供し、ネットワークデバイスにより、送信対象のダウンリンク制御情報を判定する段階と、
ネットワークデバイスにより、予め設定された持続時間において、少なくとも２つの探索空間におけるダウンリンク制御情報を第１情報に基づいて送信する段階であって、第１情報は、少なくとも２つの探索空間におけるダウンリンク制御情報を受信することを端末デバイスに示すために用いられる、段階とを含む。
【００２９】
可能な実施例において、少なくとも２つの探索空間のいずれか２つは、異なる期間を有する、又は、同一の周期及び同一のオフセットを有する。
【００３０】
可能な実施例において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【００３１】
可能な実施例において、第１情報は、ダウンリンク制御情報の長さ情報を含み、ネットワークデバイスにより、少なくとも２つの探索空間におけるダウンリンク制御情報を第１情報に基づいて送信する段階は、
ネットワークデバイスにより、少なくとも２つの探索空間における、長さ情報により示される長さのダウンリンク制御情報を送信する段階を含む。
【００３２】
可能な実施例において、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【００３３】
可能な実施例において、第１情報は、探索空間のうちの少なくとも１つについての優先度情報を含み、ネットワークデバイスにより、少なくとも２つの探索空間におけるダウンリンク制御情報を第１情報に基づいて送信する段階は、
ネットワークデバイスにより、少なくとも２つの探索空間におけるダウンリンク制御情報を優先度情報に基づいて送信する段階を含む。
【００３４】
可能な実施例において、方法は、
ネットワークデバイスにより、探索空間のタイプに関する情報、探索空間の周期、探索空間のサブキャリア間隔情報、探索空間により占有されるシンボルに関する情報、スロット内の探索空間の開始位置に関する情報のうちの少なくとも１つに基づいて、探索空間の優先度を判定する段階をさらに含む。
【００３５】
可能な実施例において、第１情報は、ダウンリンク制御情報の長さ調整ステータス情報を含み、ネットワークデバイスにより、少なくとも２つの探索空間におけるダウンリンク制御情報を第１情報に基づいて送信する段階は、
ネットワークデバイスにより、ダウンリンク制御情報の長さが調整されたことを第１情報が示す場合、少なくとも２つの探索空間における調整されたダウンリンク制御情報を送信する段階を含む。
【００３６】
可能な実施例において、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【００３７】
可能な実施例において、方法は、
ネットワークデバイスにより、端末デバイスに第１情報を送信する段階をさらに含む。
【００３８】
可能な実施例において、ネットワークデバイスにより、少なくとも２つの探索空間におけるダウンリンク制御情報を第１情報に基づいて送信する段階の前に、方法は、
ネットワークデバイスにより、少なくとも２つの探索空間における端末デバイスにより実行される必要がある総最高ブラインド検出回数は、端末デバイスの最高ブラインド検出回数より多いと判定する段階をさらに含む。
【００３９】
可能な実施例において、第１情報は、予め設定された候補位置情報を含み、ネットワークデバイスにより、少なくとも２つの探索空間におけるダウンリンク制御情報を第１情報に基づいて送信する段階は、
ネットワークデバイスにより、少なくとも２つの探索空間における予め設定された候補位置情報により示される候補位置においてダウンリンク制御情報を送信する段階を含む。
【００４０】
可能な実施例において、第１情報は、予め設定された探索空間情報を含み、ネットワークデバイスにより、少なくとも２つの探索空間におけるダウンリンク制御情報を第１情報に基づいて送信する段階は、
ネットワークデバイスにより、少なくとも２つの探索空間における予め設定された探索空間情報により示される予め設定された探索空間においてダウンリンク制御情報を送信する段階を含む。
【００４１】
可能な実施例において、第１情報は、予め設定されたアグリゲーションレベルに関する情報を含み、ネットワークデバイスにより、少なくとも２つの探索空間におけるダウンリンク制御情報を第１情報に基づいて送信する段階は、
ネットワークデバイスにより、少なくとも２つの探索空間における予め設定されたアグリゲーションレベルの候補位置においてダウンリンク制御情報を送信する段階を含む。
【００４２】
第４態様によれば、本願の実施形態は、ネットワークデバイス側に適用されるブラインド検出回数を取得するための方法をさらに提供し、
ネットワークデバイスにより、端末デバイスによりサポートされ、かつ、端末デバイスからの最高ブラインド検出回数を受信する段階と、
ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階と
を含む。
【００４３】
可能な実施例において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【００４４】
可能な実施例において、ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階は、
ネットワークデバイスにより、最高ブラインド検出回数、構成情報及び端末デバイスのマルチアンテナ構成情報に基づいて、探索空間における端末デバイスの最高ブラインド検出回数を判定する段階であって、マルチアンテナ構成情報は、アンテナの数、コードワードの数及びレイヤの数のうちの少なくとも１つを含む、段階を含む。
【００４５】
可能な実施例において、ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階は、
ネットワークデバイスにより、最高ブラインド検出回数と、端末デバイスがリッスンする必要があるビーム及び／又は伝送ポイントの数と、構成情報とに基づいて、各ビーム及び／又は伝送ポイントでの端末デバイスの最高ブラインド検出回数を判定する段階を含む。
【００４６】
可能な実施例において、ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階は、
ネットワークデバイスにより、最高ブラインド検出回数、アグリゲートされるキャリアの数に関する情報及び構成情報に基づいて、各キャリアでの探索空間における端末デバイスの最高ブラインド検出回数を判定する段階を含む。
【００４７】
第５態様によれば、本願の実施形態は、端末デバイスとして用いられるダウンリンク制御情報伝送装置をさらに提供し、当該ダウンリンク制御情報伝送装置は、第１態様におけるダウンリンク制御情報の伝送方法を実行するように構成され、かつ、同一又は類似の技術的特徴及び技術的効果を有する。装置は、
予め設定された持続時間において少なくとも２つの探索空間が存在すると判定するように構成される探索空間検出モジュールと、
少なくとも２つの探索空間におけるブラインド検出を第１情報に基づいて実行するように構成されるブラインド検出モジュールと
を含み、
第１情報は、少なくとも２つの探索空間におけるブラインド検出を実行することを装置に示すために用いられ、少なくとも２つの探索空間における装置の総ブラインド検出回数は、予め設定された持続時間における装置の最高ブラインド検出回数を超えない。
【００４８】
可能な実施例において、少なくとも２つの探索空間のいずれか２つは、異なる期間を有する、又は、同一の周期及び同一のオフセットを有する。
【００４９】
可能な実施例において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【００５０】
可能な実施例において、第１情報は、ダウンリンク制御情報の長さ情報を含み、ブラインド検出モジュールは、具体的には、少なくとも２つの探索空間における、長さ情報により示される長さのダウンリンク制御情報をブラインド検出するように構成される。
【００５１】
可能な実施例において、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【００５２】
可能な実施例において、第１情報は、探索空間のうちの少なくとも１つについての優先度情報を含み、ブラインド検出モジュールは、具体的には、優先度情報に基づいて、少なくとも２つの探索空間におけるブラインド検出を実行するように構成される。
【００５３】
可能な実施例において、ブラインド検出モジュールは、具体的には、ダウンリンク制御情報が検出されるまで、又は、ブラインド検出回数が装置の最高ブラインド検出回数に達するまで、又は、装置が少なくとも２つの探索空間におけるブラインド検出を完了するまで、少なくとも２つの探索空間におけるブラインド検出を優先度に基づいて降順に連続的に実行するように構成される。
【００５４】
可能な実施例において、装置は、優先度取得モジュールをさらに含み、優先度取得モジュールは、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される。
【００５５】
可能な実施例において、第１情報は、ダウンリンク制御情報の長さ調整ステータス情報を含み、ブラインド検出モジュールは、具体的には、ダウンリンク制御情報の長さが調整されていることを第１情報が示す場合、ダウンリンク制御情報の調整された長さを用いて、少なくとも２つの探索空間におけるダウンリンク制御情報をブラインド検出するように構成される。
【００５６】
可能な実施例において、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【００５７】
可能な実施例において、装置は、さらに、ネットワークデバイスから第１情報を受信するように構成される受信モジュールを含む。
【００５８】
可能な実施例において、ブラインド検出モジュールは、さらに、少なくとも２つの探索空間に対応する総ブラインド検出回数が、装置の最高ブラインド検出回数より多いと判定するように構成される。
【００５９】
可能な実施例において、第１情報は、予め設定された候補位置情報を含み、ブラインド検出モジュールは、具体的には、少なくとも２つの探索空間における予め設定された候補位置情報により示される候補位置においてブラインド検出を実行するように構成される。
【００６０】
可能な実施例において、第１情報は、予め設定された探索空間情報を含み、ブラインド検出モジュールは、具体的には、少なくとも２つの探索空間における予め設定された探索空間情報により示される予め設定された探索空間においてブラインド検出を実行するように構成される。
【００６１】
可能な実施例において、第１情報は、予め設定されたアグリゲーションレベルに関する情報を含み、ブラインド検出モジュールは、具体的には、少なくとも２つの探索空間における予め設定されたアグリゲーションレベルの候補位置をブラインド検出するように構成される。
【００６２】
第６態様によれば、本願の実施形態は、端末デバイスとして用いられるブラインド検出回数を取得するための装置をさらに提供し、当該装置は、第２態様におけるブラインド検出回数を取得するための方法を実行するように構成され、かつ、同一又は類似の技術的特徴及び技術的効果を有する。装置は、
ネットワークデバイスから第２情報を受信するように構成される受信モジュールであって、第２情報は、探索空間構成情報を含む、受信モジュールと、
探索空間構成情報に基づいて、探索空間構成情報により示される探索空間における装置の最高ブラインド検出回数を判定するように構成されるブラインド検出回数取得モジュールと
を含む。
【００６３】
可能な実施例において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【００６４】
可能な実施例において、ブラインド検出回数取得モジュールは、具体的には、探索空間構成情報及び装置のマルチアンテナ構成情報に基づいて、探索空間構成情報により示される探索空間における装置の最高ブラインド検出回数を判定するように構成され、マルチアンテナ構成情報は、アンテナの数、コードワードの数及びレイヤの数のうちの少なくとも１つを含む。
【００６５】
可能な実施例において、ブラインド検出回数取得モジュールは、具体的には、装置がリッスンする必要があるビーム及び／又は伝送ポイントの数と、探索空間構成情報とに基づいて、各ビーム及び／又は伝送ポイントでの装置の最高ブラインド検出回数を判定するように構成される。
【００６６】
可能な実施例において、ブラインド検出回数取得モジュールは、具体的には、アグリゲートされるキャリアの数に関する情報及び探索空間構成情報に基づいて、各キャリアでの探索空間における装置の最高ブラインド検出回数を判定するように構成される。
【００６７】
可能な実施例において、装置は、
装置によりサポートされ得る最高ブラインド検出回数をネットワークデバイスに送信するように構成される送信モジュールをさらに含む。
【００６８】
第７態様によれば、本願の実施形態は、ネットワークデバイスとして用いられるダウンリンク制御情報伝送装置をさらに提供し、当該ダウンリンク制御情報伝送装置は、第３態様におけるダウンリンク制御情報の伝送方法を実行するように構成され、かつ、同一又は類似の技術的特徴及び技術的効果を有する。装置は、
送信対象のダウンリンク制御情報を判定するように構成されるダウンリンク制御情報取得モジュールと、
予め設定された持続時間において、少なくとも２つの探索空間におけるダウンリンク制御情報を第１情報に基づいて送信するように構成されるダウンリンク制御情報送信モジュールと
を含み、
第１情報は、少なくとも２つの探索空間におけるダウンリンク制御情報を受信することを端末デバイスに示すために用いられる。
【００６９】
可能な実施例において、少なくとも２つの探索空間のいずれか２つは、異なる期間を有する、又は、同一の周期及び同一のオフセットを有する。
【００７０】
可能な実施例において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【００７１】
可能な実施例において、第１情報は、ダウンリンク制御情報の長さ情報を含み、ダウンリンク制御情報送信モジュールは、具体的には、少なくとも２つの探索空間における、長さ情報により示される長さのダウンリンク制御情報を送信するように構成される。
【００７２】
可能な実施例において、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【００７３】
可能な実施例において、第１情報は、探索空間のうちの少なくとも１つについての優先度情報を含み、ダウンリンク制御情報送信モジュールは、具体的には、少なくとも２つの探索空間におけるダウンリンク制御情報を優先度情報に基づいて送信するように構成される。
【００７４】
可能な実施例において、装置は、
探索空間のタイプに関する情報、探索空間の周期、探索空間のサブキャリア間隔情報、探索空間により占有されるシンボルに関する情報、スロット内の探索空間の開始位置に関する情報のうちの少なくとも１つに基づいて、探索空間の優先度を判定するように構成される優先度取得モジュールをさらに含む。
【００７５】
可能な実施例において、第１情報は、ダウンリンク制御情報の長さ調整ステータス情報を含み、ダウンリンク制御情報送信モジュールは、具体的には、ダウンリンク制御情報の長さが調整されていることを第１情報が示す場合、少なくとも２つの探索空間における調整されたダウンリンク制御情報を送信するように構成される。
【００７６】
可能な実施例において、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【００７７】
可能な実施例において、装置は、
端末デバイスに第１情報を送信するように構成される送信モジュールをさらに含む。
【００７８】
可能な実施例において、ダウンリンク制御情報送信モジュールは、さらに、少なくとも２つの探索空間における、端末デバイスにより実行される必要がある総最高ブラインド検出回数が、端末デバイスの最高ブラインド検出回数より多いと判定するように構成される。
【００７９】
可能な実施例において、第１情報は、予め設定された候補位置情報を含み、ダウンリンク制御情報送信モジュールは、具体的には、少なくとも２つの探索空間における予め設定された候補位置情報により示される候補位置においてダウンリンク制御情報を送信するように構成される。
【００８０】
可能な実施例において、第１情報は、予め設定された探索空間情報を含み、ダウンリンク制御情報送信モジュールは、具体的には、少なくとも２つの探索空間における予め設定された探索空間情報により示される予め設定された探索空間においてダウンリンク制御情報を送信するように構成される。
【００８１】
可能な実施例において、第１情報は、予め設定されたアグリゲーションレベルに関する情報を含み、ダウンリンク制御情報送信モジュールは、具体的には、少なくとも２つの探索空間における予め設定されたアグリゲーションレベルの候補位置においてダウンリンク制御情報を送信するように構成される。
【００８２】
第８態様によれば、本願の実施形態は、ネットワークデバイスとして用いられるブラインド検出回数を取得するための装置をさらに提供し、当該装置は、第４態様におけるブラインド検出回数を取得するための方法を実行するように構成され、かつ、同一又は類似の技術的特徴及び技術的効果を有する。装置は、
端末デバイスによりサポートされ、かつ、端末デバイスからの最高ブラインド検出回数を受信するように構成される受信モジュールと、
最高ブラインド検出回数と、端末デバイスに対して装置により構成される探索空間の構成情報とに基づいて、探索空間における端末デバイスの最高ブラインド検出回数を判定するように構成される最高ブラインド検出回数取得モジュールと
を含む。
【００８３】
可能な実施例において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【００８４】
可能な実施例において、最高ブラインド検出回数取得モジュールは、具体的には、最高ブラインド検出回数、構成情報及び端末デバイスのマルチアンテナ構成情報に基づいて、探索空間における端末デバイスの最高ブラインド検出回数を判定するように構成され、マルチアンテナ構成情報は、アンテナの数、コードワードの数及びレイヤの数のうちの少なくとも１つを含む。
【００８５】
可能な実施例において、最高ブラインド検出回数取得モジュールは、具体的には、最高ブラインド検出回数と、端末デバイスがリッスンする必要があるビーム及び／又は伝送ポイントの数と、構成情報とに基づいて、各ビーム及び／又は伝送ポイントでの端末デバイスの最高ブラインド検出回数を判定するように構成される。
【００８６】
可能な実施例において、最高ブラインド検出回数取得モジュールは、具体的には、最高ブラインド検出回数、アグリゲートされるキャリアの数に関する情報及び構成情報に基づいて、各キャリアでの探索空間における端末デバイスの最高ブラインド検出回数を判定するように構成される。
【００８７】
第９態様によれば、本願の実施形態は、端末デバイスをさらに提供し、当該端末デバイスは、第１態様におけるダウンリンク制御情報の伝送方法を実行するように構成され、かつ、同一又は類似の技術的特徴及び技術的効果を有する。  端末デバイスは、
予め設定された持続時間において少なくとも２つの探索空間が存在すると判定し、
少なくとも２つの探索空間におけるブラインド検出を第１情報に基づいて実行する
ように構成されるプロセッサを含み、第１情報は、少なくとも２つの探索空間におけるブラインド検出を実行することを端末デバイスに示すために用いられ、少なくとも２つの探索空間における端末デバイスの総ブラインド検出回数は、予め設定された持続時間における端末デバイスの最高ブラインド検出回数を超えない。
【００８８】
可能な実施例において、少なくとも２つの探索空間のいずれか２つは、異なる期間を有する、又は、同一の周期及び同一のオフセットを有する。
【００８９】
可能な実施例において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【００９０】
可能な実施例において、第１情報は、ダウンリンク制御情報の長さ情報を含み、プロセッサは、具体的には、少なくとも２つの探索空間における、長さ情報により示される長さのダウンリンク制御情報をブラインド検出するように構成される。
【００９１】
可能な実施例において、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【００９２】
可能な実施例において、第１情報は、探索空間のうちの少なくとも１つについての優先度情報を含み、プロセッサは、具体的には、優先度情報に基づいて、少なくとも２つの探索空間におけるブラインド検出を実行するように構成される。
【００９３】
可能な実施例において、プロセッサは、具体的には、ダウンリンク制御情報が検出されるまで、又は、ブラインド検出回数が端末デバイスの最高ブラインド検出回数に達するまで、又は、端末デバイスが少なくとも２つの探索空間におけるブラインド検出を完了するまで、少なくとも２つの探索空間におけるブラインド検出を優先度に基づいて降順に連続的に実行するように構成される。
【００９４】
可能な実施例において、プロセッサは、さらに、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される。
【００９５】
可能な実施例において、第１情報は、ダウンリンク制御情報の長さ調整ステータス情報を含み、プロセッサは、具体的には、ダウンリンク制御情報の長さが調整されていることを第１情報が示す場合、ダウンリンク制御情報の調整された長さを用いて、少なくとも２つの探索空間におけるダウンリンク制御情報をブラインド検出するように構成される。
【００９６】
可能な実施例において、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【００９７】
可能な実施例において、端末デバイスは、ネットワークデバイスから第１情報を受信するように構成される受信器をさらに含む。
【００９８】
可能な実施例において、プロセッサは、さらに、少なくとも２つの探索空間に対応する総ブラインド検出回数が、端末デバイスの最高ブラインド検出回数より多いと判定するように構成される。
【００９９】
可能な実施例において、第１情報は、予め設定された候補位置情報を含み、プロセッサは、具体的には、少なくとも２つの探索空間における予め設定された候補位置情報により示される候補位置においてブラインド検出を実行するように構成される。
【０１００】
可能な実施例において、第１情報は、予め設定された探索空間情報を含み、プロセッサは、具体的には、少なくとも２つの探索空間における予め設定された探索空間情報により示される予め設定された探索空間においてブラインド検出を実行するように構成される。
【０１０１】
可能な実施例において、第１情報は、予め設定されたアグリゲーションレベルに関する情報を含み、プロセッサは、具体的には、少なくとも２つの探索空間における予め設定されたアグリゲーションレベルの候補位置をブラインド検出するように構成される。
【０１０２】
第１０態様によれば、本願の実施形態は、端末デバイスをさらに提供し、当該端末デバイスは、第２態様におけるブラインド検出回数を取得するための方法を実行するように構成され、かつ、同一又は類似の技術的特徴及び技術的効果を有する。端末デバイスは、
ネットワークデバイスから第２情報を受信するように構成される受信器であって、第２情報は、探索空間構成情報を含む、受信器と、
探索空間構成情報に基づいて、探索空間構成情報により示される探索空間における端末デバイスの最高ブラインド検出回数を判定するように構成されるプロセッサと
を含む。
【０１０３】
可能な実施例において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０１０４】
可能な実施例において、プロセッサは、具体的には、探索空間構成情報及び端末デバイスのマルチアンテナ構成情報に基づいて、探索空間構成情報により示される探索空間における端末デバイスの最高ブラインド検出回数を判定するように構成され、マルチアンテナ構成情報は、アンテナの数、コードワードの数及びレイヤの数のうちの少なくとも１つを含む。
【０１０５】
可能な実施例において、プロセッサは、具体的には、端末デバイスがリッスンする必要があるビーム及び／又は伝送ポイントの数と、探索空間構成情報とに基づいて、各ビーム及び／又は伝送ポイントでの端末デバイスの最高ブラインド検出回数を判定するように構成される。
【０１０６】
可能な実施例において、プロセッサは、具体的には、アグリゲートされるキャリアの数に関する情報及び探索空間構成情報に基づいて、各キャリアでの探索空間における端末デバイスの最高ブラインド検出回数を判定するように構成される。
【０１０７】
可能な実施例において端末デバイスは、
端末デバイスによりサポートされ得る最高ブラインド検出回数をネットワークデバイスに送信するように構成される送信器をさらに含む。
【０１０８】
第１１態様によれば、本願の実施形態は、ネットワークデバイスをさらに提供し、当該ネットワークデバイスは、第３態様におけるダウンリンク制御情報の伝送方法を実行するように構成され、かつ、同一又は類似の技術的特徴及び技術的効果を有する。ネットワークデバイスは、
送信対象のダウンリンク制御情報を判定し、
予め設定された持続時間において、少なくとも２つの探索空間におけるダウンリンク制御情報を第１情報に基づいて送信する
ように構成されるプロセッサを含み、
第１情報は、少なくとも２つの探索空間におけるダウンリンク制御情報を受信することを端末デバイスに示すために用いられる。
【０１０９】
可能な実施例において、少なくとも２つの探索空間のいずれか２つは、異なる期間を有する、又は、同一の周期及び同一のオフセットを有する。
【０１１０】
可能な実施例において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０１１１】
可能な実施例において、第１情報は、ダウンリンク制御情報の長さ情報を含み、プロセッサは、具体的には、少なくとも２つの探索空間における、長さ情報により示される長さのダウンリンク制御情報を送信するように構成される。
【０１１２】
可能な実施例において、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０１１３】
可能な実施例において、第１情報は、探索空間のうちの少なくとも１つについての優先度情報を含み、プロセッサは、具体的には、少なくとも２つの探索空間におけるダウンリンク制御情報を優先度情報に基づいて送信するように構成される。
【０１１４】
可能な実施例において、プロセッサは、さらに、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される。
【０１１５】
可能な実施例において、第１情報は、ダウンリンク制御情報の長さ調整ステータス情報を含み、プロセッサは、具体的には、ダウンリンク制御情報の長さが調整されていることを第１情報が示す場合、少なくとも２つの探索空間における調整されたダウンリンク制御情報を送信するように構成される。
【０１１６】
可能な実施例において、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０１１７】
可能な実施例において、ネットワークデバイスは、
端末デバイスに第１情報を送信するように構成される送信器をさらに含む。
【０１１８】
可能な実施例において、プロセッサは、さらに、少なくとも２つの探索空間における、」端末デバイスにより実行される必要がある総最高ブラインド検出回数が、端末デバイスの最高ブラインド検出回数より多いと判定するように構成される。
【０１１９】
可能な実施例において、第１情報は、予め設定された候補位置情報を含み、プロセッサは、具体的には、少なくとも２つの探索空間における予め設定された候補位置情報により示される候補位置においてダウンリンク制御情報を送信するように構成される。
【０１２０】
可能な実施例において、第１情報は、予め設定された探索空間情報を含み、プロセッサは、具体的には、少なくとも２つの探索空間における予め設定された探索空間情報により示される予め設定された探索空間においてダウンリンク制御情報を送信するように構成される。
【０１２１】
可能な実施例において、第１情報は、予め設定されたアグリゲーションレベルに関する情報を含み、プロセッサは、具体的には、少なくとも２つの探索空間における予め設定されたアグリゲーションレベルの候補位置においてダウンリンク制御情報を送信するように構成される。
【０１２２】
第１２態様によれば、本願の実施形態は、ネットワークデバイスをさらに提供し、当該ネットワークデバイスは、第４態様におけるブラインド検出回数を取得するための方法を実行するように構成され、かつ、同一又は類似の技術的特徴及び技術的効果を有する。ネットワークデバイスは、
端末デバイスによりサポートされ、かつ、端末デバイスからの最高ブラインド検出回数を受信するように構成される受信器と、
最高ブラインド検出回数と、端末デバイスに対してネットワークデバイスにより構成される探索空間の構成情報とに基づいて、探索空間における端末デバイスの最高ブラインド検出回数を判定するように構成されるプロセッサと
を含む。
【０１２３】
可能な実施例において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０１２４】
可能な実施例において、プロセッサは、具体的には、最高ブラインド検出回数、構成情報及び端末デバイスのマルチアンテナ構成情報に基づいて、探索空間における端末デバイスの最高ブラインド検出回数を判定するように構成され、マルチアンテナ構成情報は、アンテナの数、コードワードの数及びレイヤの数のうちの少なくとも１つを含む。
【０１２５】
可能な実施例において、プロセッサは、具体的には、最高ブラインド検出回数と、端末デバイスがリッスンする必要があるビーム及び／又は伝送ポイントの数と、構成情報とに基づいて、各ビーム及び／又は伝送ポイントでの端末デバイスの最高ブラインド検出回数を判定するように構成される。
【０１２６】
可能な実施例において、プロセッサは、具体的には、最高ブラインド検出回数、アグリゲートされるキャリアの数に関する情報及び構成情報に基づいて、各キャリアでの探索空間における端末デバイスの最高ブラインド検出回数を判定するように構成される。
【０１２７】
第１３態様によれば、本願の実施形態は、プログラムをさらに提供する。当該プログラムは、プロセッサにより実行される場合、第１態様における端末デバイス側に対応するダウンリンク制御情報の伝送方法を実行するように構成される。
【０１２８】
第１４態様によれば、本願の実施形態は、プログラム製品、例えば、コンピュータ可読記憶媒体をさらに提供し、当該プログラム製品は、第１３態様に係るプログラムを含む。
【０１２９】
第１５態様によれば、本願の実施形態は、コンピュータ可読記憶媒体をさらに提供する。コンピュータ可読記憶媒体は、命令を格納する。コンピュータ上で命令が実行される場合、コンピュータは、第１態様における端末デバイス側に対応するダウンリンク制御情報の伝送方法を実行するようイネーブルにされる。
【０１３０】
第１６態様によれば、本願の実施形態は、プログラムをさらに提供する。当該プログラムは、プロセッサにより実行される場合、第２態様における端末デバイス側に対応するブラインド検出回数を取得するための方法を実行するように構成される。
【０１３１】
第１７態様によれば、本願の実施形態は、プログラム製品、例えば、コンピュータ可読記憶媒体をさらに提供し、当該プログラム製品は、第１６態様に係るプログラムを含む。
【０１３２】
第１８態様によれば、本願の実施形態は、コンピュータ可読記憶媒体をさらに提供する。コンピュータ可読記憶媒体は、命令を格納する。コンピュータ上で命令が実行される場合、コンピュータは、第２態様における端末デバイス側に対応するブラインド検出回数を取得するための方法を実行するようにイネーブルにされる。
【０１３３】
第１９態様によれば、本願の実施形態は、プログラムをさらに提供する。当該プログラムは、プロセッサにより実行される場合、第３態様におけるネットワークデバイス側に対応するダウンリンク制御情報の伝送方法を実行するように構成される。
【０１３４】
第２０態様によれば、本願の実施形態は、プログラム製品、例えば、コンピュータ可読記憶媒体をさらに提供し、当該プログラム製品は、第１９態様に係るプログラムを含む。
【０１３５】
第２１態様によれば、本願の実施形態は、コンピュータ可読記憶媒体をさらに提供する。コンピュータ可読記憶媒体は、命令を格納する。コンピュータ上で命令が実行される場合、コンピュータは、第３態様におけるネットワークデバイス側に対応するダウンリンク制御情報の伝送方法を実行するようにイネーブルにされる。
【０１３６】
第２２態様によれば、本願の実施形態は、プログラムをさらに提供する。当該プログラムは、プロセッサにより実行される場合、第４態様におけるネットワークデバイス側に対応するブラインド検出回数を取得するための方法を実行するように構成される。
【０１３７】
第２３態様によれば、本願の実施形態は、プログラム製品、例えば、コンピュータ可読記憶媒体をさらに提供し、当該プログラム製品は、第２２態様に係るプログラムを含む。
【０１３８】
第２４態様によれば、本願の実施形態は、コンピュータ可読記憶媒体をさらに提供する。コンピュータ可読記憶媒体は、命令を格納する。コンピュータ上で命令が実行される場合、コンピュータは、第４態様におけるネットワークデバイス側に対応するブラインド検出回数を取得するための方法を実行するようにイネーブルにされる。
【図面の簡単な説明】
【０１３９】
【図１】本願の実施形態が適用可能されるネットワークアーキテクチャの実施形態１の概略図である。
【０１４０】
【図２】通信システムにおける時間−周波数リソースの概略的な構造図である。
【０１４１】
【図３】本願の実施形態１に係るダウンリンク制御情報の伝送方法の概略的なフローチャートである。
【０１４２】
【図４】本願の実施形態に係る探索空間の周期の概略図である。
【０１４３】
【図５】本願の実施形態２に係るダウンリンク制御情報の伝送方法の概略的なフローチャートである。
【０１４４】
【図６】本願の実施形態１に係るブラインド検出回数を取得するための方法の概略的なフローチャートである。
【０１４５】
【図７】本願の実施形態３に係るダウンリンク制御情報の伝送方法の概略的なフローチャートである。
【０１４６】
【図８】本願の実施形態２に係るブラインド検出回数を取得するための方法の概略的なフローチャートである。
【０１４７】
【図９】本願の実施形態１に係るダウンリンク制御情報伝送装置の概略的な構造図である。
【０１４８】
【図１０】本願の実施形態２に係るダウンリンク制御情報伝送装置の概略的な構造図である。
【０１４９】
【図１１】本願の実施形態１に係るブラインド検出回数を取得するための装置の概略的な構造図である。
【０１５０】
【図１２】本願の実施形態３に係るダウンリンク制御情報伝送装置の概略的な構造図である。
【０１５１】
【図１３】本願の実施形態２に係るブラインド検出回数を取得するための装置の概略的な構造図である。
【０１５２】
【図１４】本願の実施形態１に係る端末デバイスの概略的な構造図である。
【０１５３】
【図１５】本願の実施形態１に係るネットワークデバイスの概略的な構造図である。
【発明を実施するための形態】
【０１５４】
図１は、本願の実施形態が適用可能されるネットワークアーキテクチャの実施形態１の概略図である。図１に示されるように、本実施形態において提供されるネットワークアーキテクチャは、ネットワークデバイス１０と、少なくとも１つの端末デバイス２０とを含む。
【０１５５】
ネットワークデバイス１０は、端末デバイス２０を無線ネットワークに接続するデバイスであり、グローバルシステムフォーモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、略してＧＳＭ（登録商標））におけるベーストランシーバ基地局（Ｂａｓｅ  Ｔｒａｎｓｃｅｉｖｅｒ  Ｓｔａｔｉｏｎ、略してＢＴＳ）、又は、符号分割多元接続（Ｃｏｄｅ  Ｄｉｖｉｓｉｏｎ  Ｍｕｌｔｉｐｌｅ  Ａｃｃｅｓｓ、略してＣＤＭＡ）であってよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））におけるノードＢ（ＮｏｄｅＢ、略してＮＢ）であってよく、又は、ロングタームエボリューション（Ｌｏｎｇ  Ｔｅｒｍ  Ｅｖｏｌｕｔｉｏｎ、略してＬＴＥ）における進化型ノードＢ（Ｅｖｏｌｕｔｉｏｎａｌ  Ｎｏｄｅ  Ｂ、略してｅＮＢ又はｅＮｏｄｅＢ）、将来の第５世代移動通信（ｔｈｅ  ５ｔｈ  Ｇｅｎｅｒａｔｉｏｎ  Ｍｏｂｉｌｅ  Ｃｏｍｍｕｎｉｃａｔｉｏｎ、５Ｇ）ネットワークにおける中継局、アクセスポイント、基地局、又は、高周波数帯域で動作する中継局、アクセスポイント、車載デバイス及びウェアラブルデバイスなどであってよい。これは、本願において限定されるものではない。図１は、ネットワークデバイス１０が基地局であることが考えられる例を概略的に示す。
【０１５６】
端末デバイス２０は、無線端末又は有線端末であってよい。無線端末は、音声及び／又は他のサービスデータ接続をユーザに提供するデバイス、無線接続機能を有するハンドヘルドデバイス、又は、無線モデムに接続される別の処理デバイスであってよい。無線端末は、無線アクセスネットワーク（Ｒａｄｉｏ  Ａｃｃｅｓｓ  Ｎｅｔｗｏｒｋ、略してＲＡＮ）を通じて１又は複数のコアネットワークと通信し得る。無線端末は、モバイル端末、例えば、携帯電話（「セルラ」フォンとも称される）であってよく、モバイル端末を有するコンピュータは、例えば、無線アクセスネットワークと音声及び／又はデータを交換するポータブル、ポケットサイズ、ハンドヘルド、コンピュータ内蔵又は車載モバイル装置であってよい。例えば、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、略してＳＩＰ）電話、無線ローカルループ（Ｗｉｒｅｌｅｓｓ  Ｌｏｃａｌ  Ｌｏｏｐ、略してＷＬＬ）局又はパーソナルデジタルアシスタント（Ｐｅｒｓｏｎａｌ  Ｄｉｇｉｔａｌ  Ａｓｓｉｓｔａｎｔ、略してＰＤＡ）などのデバイスであってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）とも称され得る。本願はこれに限定されるものではない。図１は、端末デバイス２０が携帯電話である例の考えられる概略図を概略的に示す。
【０１５７】
従来のＬＴＥシステムでは、データ情報を受信又は送信する前に、端末デバイス２０は、端末デバイス２０に対してネットワークデバイス１０により構成されるダウンリンク制御情報（ｄｏｗｎｌｉｎｋ  ｃｏｎｔｒｏｌ  ｉｎｆｏｒｍａｔｉｏｎ、ＤＣＩ）を把握する必要がある。ＤＣＩは、どのようにダウンリンクデータを受信して、アップリンクデータを伝送するかを端末デバイスに示すために用いられる。例えば、ＤＣＩは、情報、例えば、端末デバイスがアップリンク及びダウンリンクデータ伝送を実行する場合に用いられるリソース、変調及び符号化スキーム、ビットレート及び冗長バージョンを含み得る。ＤＣＩを送信する場合、ネットワークデバイス１０は通常、伝送用の探索空間における物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）にＤＣＩを加える。以下では、ＤＣＩ伝送に関連する基本概念を詳細に説明する。
【０１５８】
ＬＴＥシステムにおける時間−周波数リソースは、時間領域において、１０ｍｓの複数の無線フレーム（ｒａｄｉｏ  ｆｒａｍｅ）に分割される。１つの無線フレームは、１ｍｓの１０個のサブフレーム（ｓｕｂｆｒａｍｅ）を含み、各サブフレームは、２つのスロット（ｓｌｏｔ）を含み、各スロットに含まれるシンボルの数は、サブフレーム内のサイクリックプレフィックス（ｃｙｃｌｉｃ  ｐｒｅｆｉｘ、ＣＰ）の長さに関連する。ＣＰが標準（ｎｏｒｍａｌ）ＣＰである場合、各スロットは、７個のシンボルを含み、各サブフレームは、１４個のシンボルを含む。例えば、各サブフレームは、シーケンス番号がそれぞれ♯０、♯１、♯２、♯３、♯４、♯５、♯６、♯７、♯８、♯９、♯１０、♯１１、♯１２及び♯１３であるシンボルを含む。ＣＰが拡張（ｅｘｔｅｎｄｅｄ）ＣＰである場合、各スロットは、６個のシンボルを含み、各サブフレームは、１２個のシンボルを含む。例えば、各サブフレームは、シーケンス番号がそれぞれ♯０、♯１、♯２、♯３、♯４、♯５、♯６、♯７、♯８、♯９、♯１０及び♯１１であるシンボルを含む。周波数領域における時間−周波数リソースの最小単位は、サブキャリアである。リソースエレメント（ｒｅｓｏｕｒｃｅ  ｅｌｅｍｅｎｔ、ＲＥ）は、時間−周波数リソースを分割するための最小単位であり、インデックスペア（ｋ、ｌ）により一意に識別される。ｋは、サブキャリアインデックスであり、ｌは、シンボルインデックスである。もちろん、リソースエレメントは、代わりに、別の形式の識別子を用いて識別されてよい。同一のシンボルに属する４個の連続するＲＥは、リソースエレメントグループ（Ｒｅｓｏｕｒｃｅ  Ｅｌｅｍｅｎｔ  Ｇｒｏｕｐ、ＲＥＧ）を形成する。周波数領域のスケジューリングの粒度は、リソースブロックグループ（Ｒｅｓｏｕｒｃｅ  Ｂｌｏｃｋ  Ｇｒｏｕｐ、ＲＢＧ）であり、１つのＲＧＢは、複数のリソースブロック（Ｒｅｓｏｕｒｃｅ  Ｂｌｏｃｋ、ＲＢ）ペアを含む。１つのＲＢペアは、時間領域における１つのサブフレーム及び周波数領域における１２個のサブキャリアで構成される２次元リソースブロックである。標準ＣＰについて、１つのＲＢペアは、１６８個の時間−周波数リソースエレメントＲＥを含み、拡張ＣＰについて、１つのＲＢペアは、１４４個の時間−周波数リソースエレメントＲＥを含む。図２は、通信システムにおける時間−周波数リソースの概略的な構造図である。図２は、標準ＣＰの２つのＲＢ（１つのＰＲＢペア）を示す。制御チャネルエレメント（ｃｏｎｔｒｏｌ  ｃｈａｎｎｅｌ  ｅｌｅｍｅｎｔ、ＣＣＥ）は、ＰＤＣＣＨが時間−周波数リソースを占有する場合の最小単位である。１つのＰＤＣＣＨは、少なくとも１つのＣＣＥを占有する。１つのＣＣＥは、９個のＲＥＧ、すなわち、３６個のＲＥを含む。ＣＣＥを形成するＲＥＧは、連続又は不連続に分配されてよい。
【０１５９】
５Ｇ  ＮＲシステムにおける時間−周波数リソースは、時間領域において１０ｍｓの複数の無線フレーム（ｒａｄｉｏ  ｆｒａｍｅ）に分割され、１つの無線フレームは、１ｍｓの１０個のサブフレーム（ｓｕｂｆｒａｍｅ）を含み、各サブフレームは、いくつかのスロット（ｓｌｏｔ）を含む。１５ｋＨｚのサブキャリア間隔について、１つのサブフレームは、１つのスロットを含み、３０ｋＨｚのサブキャリア間隔について、１つのサブフレームは、２つのスロットを含む。各スロットに含まれるシンボルの数は、サブフレーム内のサイクリックプレフィックス（ｃｙｃｌｉｃ  ｐｒｅｆｉｘ、ＣＰ）の長さに関連する。一例として、１５ｋＨｚのサブキャリア間隔を用いると、ＣＰが標準（ｎｏｒｍａｌ）ＣＰである場合、各スロットは、１４個のシンボルを含み、例えば、シーケンス番号がそれぞれ♯０、♯１、♯２、♯３、♯４、♯５、♯６、♯７、♯８、♯９、♯１０、♯１１、♯１２及び♯１３であるシンボルを含む。ＣＰが拡張（ｅｘｔｅｎｄｅｄ）ＣＰである場合、各スロットは、１２個のシンボルの含み、例えば、シーケンス番号がそれぞれ♯０、♯１、♯２、♯３、♯４、♯５、♯６、♯７、♯８、♯９、♯１０及び♯１１であるシンボルを含む。周波数領域における時間−周波数リソースの最小単位は、サブキャリアである。リソースエレメント（ｒｅｓｏｕｒｃｅ  ｅｌｅｍｅｎｔ、ＲＥ）は、時間−周波数リソースを分割するための最小単位であり、インデックスペア（ｋ、ｌ）により一意に識別される。ｋは、サブキャリアインデックスであり、ｌは、シンボルインデックスである。もちろん、リソースエレメントは、代わりに、別の形式の識別子を用いて識別されてよい。同一のシンボルに属する１２個の連続するＲＥは、リソースエレメントグループ（Ｒｅｓｏｕｒｃｅ  Ｅｌｅｍｅｎｔ  Ｇｒｏｕｐ、ＲＥＧ）を形成する。周波数領域のスケジューリングの粒度は、リソースブロックグループ（Ｒｅｓｏｕｒｃｅ  Ｂｌｏｃｋ  Ｇｒｏｕｐ、ＲＢＧ）であり、１つのＲＧＢは、複数のリソースブロック（Ｒｅｓｏｕｒｃｅ  Ｂｌｏｃｋ、ＲＢ）を含む。制御チャネルエレメント（ｃｏｎｔｒｏｌ  ｃｈａｎｎｅｌ  ｅｌｅｍｅｎｔ、ＣＣＥ）は、ＰＤＣＣＨが時間−周波数リソースを占有する場合の最小単位である。１つのＰＤＣＣＨは、少なくとも１つのＣＣＥを占有する。１つのＣＣＥは、６個のＲＥＧ、すなわち、７２個のＲＥを含む。ＣＣＥを形成するＲＥＧは、連続又は不連続に分配されてよい。
【０１６０】
ＬＴＥシステムでは、共通の探索空間は、１６個のＣＣＥを含み、それは、共通の探索空間におけるＣＣＥのアグリゲーションレベル（ａｇｇｒｅｇａｔｉｏｎ  ｌｅｖｅｌ、ＡＬ）が４又は８しか合意されていない。アグリゲーションレベルは、情報を搬送するために、共通の探索空間における単位として用いられるＣＣＥの数を、つまり、１つのＰＤＣＣＨにより占有されるＣＣＥの数を示すために用いられる。例えば、ＡＬが８に設定される場合、１つのＰＤＣＣＨは、８個のＣＣＥを含み、１つの共通の探索空間は、２つのＰＤＣＣＨを含んでよく、２つのＰＤＣＣＨは、それぞれ、０から７の番号が割り振られるＣＣＥと、８から１５の番号が割り振られるＣＣＥとを占有する。共通の探索空間を検索する場合、端末デバイス２０は、共通の探索空間のＡＬに関して不明確である。したがって、端末デバイス２０は、個別に４つ及び８個のＣＣＥの単位で共通の探索空間内の検索を実行する必要がある。ＡＬ＝８と仮定して、巡回冗長検査（ｃｙｃｌｉｃ  ｒｅｄｕｎｄａｎｃｙ  ｃｈｅｃｋ、ＣＲＣ）チェックは、０から７の番号が割り振られるＣＣＥ及び８から１５の番号が割り振られるＣＣＥに対して、２回だけ実行される必要がある。ＡＬ＝４と仮定して、ＣＲＣチェックは、０から３の番号が割り振られるＣＣＥ、４から７の番号が割り振られるＣＣＥ、８から１１の番号が割り振られるＣＣＥ及び１２から１５の番号が割り振られるＣＣＥに対して４回しか実行される必要がない。このプロセスは、端末デバイス２０のブラインド検出プロセスと称さ得る。端末デバイス２０は、共通の探索空間の検索を完了するために、最高で６回のＣＲＣチェックだけを実行する必要がある。
【０１６１】
特定の探索空間のアグリゲーションレベルは、１、２、４又は８のいずれか１つであってよく、対応する特定の探索空間のＣＣＥの総数は、それぞれ６、１２、８又は１６であってよい。共通の探索空間におけるブラインド検出のワークロードの算出に関して、端末デバイス２０が、特定の探索空間において搬送されるＤＣＩ情報を取得するために、最大（６／１＋１２／２＋８／４＋１６／８）＝１６回のブラインド検出を実行する必要があることが分かり得る。１つの特定の探索空間は、少なくとも１つのＰＤＣＣＨを含んでもよい。１つのＰＤＣＣＨにより占有されるＣＣＥの数は、アグリゲーションレベルによって決まる。
【０１６２】
ＤＣＩ情報は、ＬＴＥシステムにおいて、共通の探索空間において搬送され得る、又は、特定の探索空間において搬送され得るので、端末デバイスは、１つの長さのＤＣＩをブラインド検出する場合、最高で２２回のブラインド検出を実行する必要がある。端末デバイスによりブラインド検出される必要があるＤＣＩの長さが２つの可能性を有する場合、端末デバイスは、最高で４４回のブラインド検出を実行する必要がある。ＬＴＥシステムにおける探索空間は通常、各サブフレームの最初の３つのシンボルに配置されている。端末デバイスは、４４回を超えない回数の間に、各サブフレームの最初の３つのシンボルに対するブラインド検出を実行する。
【０１６３】
しかしながら、５Ｇシステムでは、ＬＴＥ通信システムとは異なって、単一のキャリア帯域幅が４００ＭＨｚに達し得る。ダウンリンク制御チャネルＰＤＣＣＨがＬＴＥにあるようなすべての帯域幅を占有する場合は、ＵＥは、すべての帯域幅においてブラインド検出を実行する必要がある。結果として、複雑性が増し、消費電力が大きい。したがって、ネットワークデバイスは通常、端末デバイス用に複数の独立した探索空間／制御リソースセット（ＣＯｎｔｒｏｌ  ＲＥｓｏｕｒｃｅ  ＳＥＴ、ＣＯＲＥＳＥＴ）を構成する。ＣＯＲＥＳＥＴは、制御情報を搬送するために用いられる時間−周波数リソースのセットであり、時間領域における１から３個のシンボルであり、かつ、周波数領域における帯域幅の一部である。探索空間は、ハッシュ（ｈａｓｈ）関数に従って制御リソースセットＣＯＲＥＳＥＴにおいて算出される論理的な位置により形成される空間である。５Ｇ  ＮＲシステムにおいて、探索空間はまた、２個のタイプ、すなわち、共通の探索空間及び特定の探索空間に分類される。アグリゲーションレベルは、１、２、４及び８に加えて、１６又は３２であってよい。端末デバイスは、構成された探索空間の周期に基づいてブラインド検出を実行する。したがって、複数の探索空間が同時に重複している可能性があり、この場合、端末デバイスは、少なくとも２つの探索空間をブラインド検出する必要がある。
【０１６４】
しかしながら、予め設定された持続時間における端末デバイスのブラインド検出回数の最大値がある。各探索空間において端末デバイスにより許容されるブラインド検出回数が端末デバイスの最高ブラインド検出回数に達した場合、重複する瞬間に、すべての探索空間における端末デバイスの総ブラインド検出回数は、端末デバイスにより許容され得る最大値を超える。各探索空間において端末デバイスにより許容されるブラインド検出回数が比較的小さい場合、例えば、端末デバイスの最高ブラインド検出回数の半分、又は、３分の１にしか達していない場合、重複する瞬間にすべての探索空間における端末デバイスの総ブラインド検出回数は、端末デバイスにより許容され得る最大値を超えてしまうことが回避され得る。しかしながら、重複していない瞬間において、端末デバイスのブラインド検出能力が無駄になる。従来のダウンリンク制御情報の伝送方法は不適切である。
【０１６５】
前述の課題を解決するために、本願の実施形態は、ダウンリンク制御情報のブラインド検出方法及び装置を提供する。具体的な実施形態に関して、以下では、本願の実施形態において提供されるダウンリンク制御情報のブラインド検出方法及び装置を詳細に説明する。以下のいくつかの具体的な実施形態では、同一又は類似の概念又はプロセスは、いくつかの実施形態において繰り返し説明されないかもしれない。
【０１６６】
本願の実施形態の１つの態様は、ダウンリンク制御情報の伝送方法を提供する。図３は、本願の実施形態１に係るダウンリンク制御情報の伝送方法の概略的なフローチャートである。本実施形態において、端末デバイスは、第１情報に基づいて、探索空間におけるブラインド検出を実行し、それによって、端末デバイスのブラインド検出回数が、重複する瞬間に端末デバイスの最高ブラインド検出回数を超えないことを確保する。図３に示されるように、ダウンリンク制御情報の伝送方法は、以下の段階を含む。
【０１６７】
Ｓ３０１．端末デバイスは、予め設定された持続時間において少なくとも２つの探索空間が存在すると判定する。
【０１６８】
例えば、端末デバイスは、ネットワークデバイスにより構成される探索空間に関して受信した情報に基づいて、予め設定された持続時間における探索空間の数を判定する。任意で、予め設定された持続時間は、１又は複数のスロットであってよい、又は、１つのミニスロットであってよい、又は、１又は複数のシンボルであってよい、又は、固定の持続時間、例えば、１ｍｓであってよい、又は、１又は複数のサブフレームであってよい。予め設定された持続時間は、少なくとも２つの探索空間の周期ポイントの重複する瞬間である。ミニスロットに含まれるシンボルの数は、７個より少ない。例えば、予め設定された持続時間において端末デバイスにより実行されるブラインド検出回数まで達し得る最大値は、端末デバイスの最高ブラインド検出回数と称される。各探索空間における端末デバイスのブラインド検出回数は、最高ブラインド検出回数に設定される。したがって、端末デバイスは、予め設定された持続時間における探索空間の数を判定する必要がある。予め設定された持続時間において、１つの探索空間しか存在しない場合、端末デバイスにより実行される必要があるブラインド検出回数は、端末デバイスの最高ブラインド検出回数を超えないので、端末デバイスのブラインド検出能力が無駄にされないことを確保する。
【０１６９】
Ｓ３０２．端末デバイスは、少なくとも２つの探索空間におけるブラインド検出を第１情報に基づいて実行する。
【０１７０】
第１情報は、少なくとも２つの探索空間におけるブラインド検出を実行することを端末デバイスに示すために用いられ、少なくとも２つの探索空間における端末デバイスの総ブラインド検出回数は、予め設定された持続時間における端末デバイスの最高ブラインド検出回数を超えない。
【０１７１】
例えば、端末デバイスが、予め設定された持続時間において少なくとも２つの探索空間が存在すると判定した場合、端末デバイスにより実際に実行される必要があるブラインド検出回数が端末デバイスの最高ブラインド検出回数を超える場合が、持続時間内に存在し得る。この場合を回避するために、端末デバイスは、少なくとも２つの探索空間におけるブラインド検出を第１情報に基づいて実行することで、少なくとも２つの探索空間における端末デバイスの総ブラインド検出回数は、端末デバイスの最高ブラインド検出回数を超えない。例えば、第１情報は、最高ブラインド検出回数を探索空間に均等に割り当てることを端末デバイスに示すために用いられ得る。例えば、予め設定された持続時間における端末デバイスの最高ブラインド検出回数が４４回であり、予め設定された持続時間において２つの探索空間が存在する場合、２つの探索空間の各々における端末デバイスの最高ブラインド検出回数は２２回に設定されてよい。このやり方では、予め設定された持続時間において１つの探索空間のみが存在する場合、探索空間における端末デバイスのブラインド検出回数は、最高ブラインド検出回数に達し得る。予め設定された持続時間において複数の探索空間が存在する場合、すべての探索空間において端末デバイスにより許容され得る総ブラインド検出回数は、端末デバイスの最高ブラインド検出回数を超えない。この場合、端末デバイスは、複数の探索空間におけるブラインド検出を同時に実行し得る。任意で、第１情報は、優先度順に従って異なる探索空間におけるブラインド検出を実行することを端末デバイスに示すためにさらに用いられてよい。つまり、最高ブラインド検出回数は、複数の探索空間のうちの１つにより優先的に用いられ、探索空間の探索が完了した後にＤＣＩが検出されず、さらに残りのブラインド検出回数がある場合、残りのブラインド検出回数の範囲内で二次優先度を有する探索空間においてブラインド検出が実行される。任意で、第１情報は、別の方式で探索空間におけるブラインド検出を実行することを端末デバイスに示すためにさらに用いられてよい。
【０１７２】
本願の本実施形態において提供されるダウンリンク制御情報の伝送方法は、端末デバイスにより、予め設定された持続時間において少なくとも２つの探索空間が存在すると判定する段階と、端末デバイスにより、少なくとも２つの探索空間におけるブラインド検出を第１情報に基づいて実行する段階であって、第１情報は、少なくとも２つの探索空間におけるブラインド検出を実行することを端末デバイスに示すために用いられ、少なくとも２つの探索空間におけう端末デバイスの総ブラインド検出回数は、予め設定された持続時間における端末デバイスの最高ブラインド検出回数を超えない、段階とを含む。本実施形態において、端末デバイスは、予め設定された持続時間における探索空間の数を判定し、探索空間の数が少なくとも２つである場合、第１情報に基づいてブラインド検出を実行することで、少なくとも２つの探索空間における端末デバイスの総ブラインド検出回数が、予め設定された持続時間における端末デバイスの最高ブラインド検出回数を超えないことを確保し、端末デバイスのブラインド検出能力の無駄も省く。
【０１７３】
さらに、前述の実施形態に基づいて、端末デバイスは、予め設定された持続時間において少なくとも２つの探索空間が存在すると判定し、少なくとも２つの探索空間のいずれか２つは、異なる期間を有する、又は、同一の周期及び同一のオフセットを有する。
【０１７４】
例えば、２つの探索空間が同一の周期であるが、異なるオフセットを有する場合、２つの探索空間は、同一の予め設定された持続時間に現われない。２つの探索空間が同一の周期及び同一のオフセットを有する場合、２つの探索空間は、同一の予め設定された持続時間に確実に現われる。しかしながら、２つの探索空間が異なる期間を有する場合には、もちろん、２つの探索空間が同時に現われる予め設定された持続時間がある。図４は、本願の実施形態に係る探索空間の周期の概略図である。図４に示されるように、探索空間１の周期は２つのスロットであり、探索空間２の周期は５個のシンボルである。したがって、１０個のスロットの間隔で重複するスロットがあり、端末デバイスは、スロット内に２つの探索空間を有する。図４に示されるように、重複するスロットは、スロット１０、２０及び３０である。
【０１７５】
さらに、前述の実施形態に基づいて、ダウンリンク制御情報の伝送方法において、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０１７６】
具体的な実施形態に関して、以下では、第１情報が異なるコンテンツを含む場合に、端末デバイスがブラインド検出を実行する具体的な方式を詳細に説明する。
【０１７７】
第１の実現可能な実施例において、第１情報がダウンリンク制御情報の長さ情報を含む場合、これに対応して、端末デバイスにより、前述の実施形態の少なくとも２つの探索空間におけるブラインド検出を第１情報に基づいて実行する段階は、具体的には、
端末デバイスにより、少なくとも２つの探索空間において、長さ情報により示される長さのダウンリンク制御情報をブラインド検出する段階を含む。
【０１７８】
例えば、少なくとも２つの探索空間が存在する場合、端末デバイスは、ブラインド検出中に１つの長さのみについてのＤＣＩをブラインド検出する。異なる長さのＤＣＩは、同一の長さを用いることからのものであり、それによって、端末デバイスにより実行される必要があるブラインド検出回数を減らす。
【０１７９】
任意で、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０１８０】
例えば、第１情報に含まれるダウンリンク制御情報の長さ情報は、最短の長さのダウンリンク制御情報の長さ、最長のダウンリンク制御情報の長さ、ロールバックフォーマットにおけるダウンリンク制御情報の長さ又はダウンリンク制御情報の予め設定された長さであってよい。ロールバックフォーマットにおけるダウンリンク制御情報の長さを用いることで、ＲＲＣ構成とＲＲＣ再構成との間の端末デバイスのブラーを回避できる。任意で、ダウンリンク制御情報の予め設定された長さは、ネットワークデバイスにより、無線リソース制御（Ｒａｄｉｏ  Ｒｅｓｏｕｒｃｅ  Ｃｏｎｔｒｏｌ、ＲＲＣ）情報を用いて、端末デバイスに対して構成されてよい。
【０１８１】
任意で、第１情報に含まれるダウンリンク制御情報の長さ情報は、別の長さであってよい。
【０１８２】
第２の実現可能な実施例において、第１情報が予め設定された候補位置情報を含む場合、これに対応して、端末デバイスにより、前述の実施形態の少なくとも２つの探索空間におけるブラインド検出を第１情報に基づいて実行する段階は、具体的には、
端末デバイスにより、少なくとも２つの探索空間における予め設定された候補位置情報により示される候補位置においてブラインド検出を実行する段階を含む。
【０１８３】
例えば、探索空間に含まれる候補位置の総数は、探索空間において端末デバイスにより実行される必要があるブラインド検出回数に正比例する。したがって、端末デバイスは、第１情報に基づいて、探索空間における一部の予め設定された候補位置しか検出せず、その結果、探索空間における端末デバイスのブラインド検出回数を減らすことができる。例えば、予め設定された候補位置は、ネットワークデバイスにより構成されてよい、予め設定された数式に従って端末デバイスにより算出されてよい、又は、プロトコルにおいて特定される候補位置であってよい。
【０１８４】
第３の実現可能な実施例において、第１情報が予め設定された探索空間情報を含む場合、これに対応して、端末デバイスにより、前述の実施形態の少なくとも２つの探索空間におけるブラインド検出を第１情報に基づいて実行する段階は、具体的には、
端末デバイスにより、少なくとも２つの探索空間における予め設定された探索空間情報により示される予め設定された探索空間においてブラインド検出を実行する段階を含む。
【０１８５】
例えば、少なくとも２つの探索空間が存在する場合、端末デバイスは、予め設定された探索空間のみにおけるブラインド検出を実行し、それによって、ブラインド検出回数を減らす。例えば、１つの予め設定された探索空間があってよい。予め設定された持続時間における探索空間の数が比較的多く、単一の探索空間により必要とされるブラインド検出回数が比較的少ない場合、代わりに、１より多い予め設定された探索空間があってよい。予め設定された探索空間は、ネットワークデバイスにより構成されてよい、又は、予め設定された数式に従って端末デバイスにより算出されてよい、又は、プロトコルに規定される探索空間であってよい。例えば、予め設定された探索空間は、共通の探索空間である。つまり、端末は、重複する瞬間に共通の探索空間のみに対してブラインド検出を実行する。
【０１８６】
第４の実現可能な実施例において、第１情報が探索空間のうちの少なくとも１つについての優先度情報を含む場合、これに対応して、端末デバイスにより、前述の実施形態の少なくとも２つの探索空間におけるブラインド検出を第１情報に基づいて実行する段階は、具体的には、
端末デバイスにより、少なくとも２つの探索空間におけるブラインド検出を優先度情報に基づいて実行する段階を含む。
【０１８７】
例えば、少なくとも２つの探索空間が存在する場合、端末デバイスは、いくつかの探索空間におけるブラインド検出を優先的に実行する。端末デバイスのブラインド検出回数が最高ブラインド検出回数に達していない場合、端末デバイスは、他の探索空間におけるブラインド検出を実行する。
【０１８８】
任意で、第１情報は、すべての探索空間の優先度情報を含んでよい、又は、いくつかの探索空間の優先度のみを含んでよく、例えば、比較的高い優先度を有する探索空間の優先度のみを含む、又は、比較的低い優先度を有する探索空間の優先度のみを含む。任意で、優先度情報は、予め設定された数式に従って端末デバイスにより算出されてよい。
【０１８９】
任意で、端末デバイスは、ダウンリンク制御情報が検出されるまで、又は、ブラインド検出回数が端末デバイスの最高ブラインド検出回数に達するまで、又は、端末デバイスが少なくとも２つの探索空間におけるブラインド検出を完了するまで、少なくとも２つの探索空間におけるブラインド検出を優先度に基づいて降順に連続的に実行する。
【０１９０】
例えば、優先度に基づいてブラインド検出を実行する場合、端末デバイスは、探索空間におけるブラインド検出を優先度に基づいて降順に連続的に実行してよい。端末デバイスは、ＤＣＩを検出した場合にブラインド検出を停止する、又は、端末デバイスにより実行されるブラインド検出回数が端末デバイスの最高ブラインド検出回数に達した場合にブラインド検出を停止する、又は、端末デバイスにより実行されるブラインド検出回数が端末デバイスの最高ブラインド検出回数に達していないが、端末デバイスが探索空間におけるブラインド検出を干渉した場合にブラインド検出を停止する。
【０１９１】
任意で、端末デバイスは、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定する。
【０１９２】
例えば、第１情報は、探索空間の優先度を直接搬送してよい。任意で、ネットワークデバイスは、代わりに、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定してよい。
【０１９３】
任意で、端末デバイスは、代わりに、探索空間の構成シグナリングの有効な時間に基づいて、探索空間の優先度を判定してよい。例えば、探索空間のタイプが共通の探索空間である場合、探索空間のタイプの優先度は、特定の探索空間の優先度より高くなるように設定され得る。任意で、ミニスロットを占有する探索空間の優先度は、比較的高い優先度に設定され得る。任意で、長い周期を有する探索空間の優先度は、短い周期を有する探索空間の優先度より高くなるように設定され得る。
【０１９４】
第５の実現可能な実施例において、第１情報は、予め設定されたアグリゲーションレベルに関する情報を含む場合、これに対応して、端末デバイスにより、前述の実施形態の少なくとも２つの探索空間におけるブラインド検出を第１情報に基づいて実行する段階は、具体的には、
端末デバイスにより、少なくとも２つの探索空間における予め設定されたアグリゲーションレベルの候補位置をブラインド検出する段階を含む。
【０１９５】
例えば、探索空間に含まれるアグリゲーションレベルのタイプは、探索空間において端末デバイスにより実行される必要があるブラインド検出回数に正比例する。したがって、少なくとも２つの探索空間が存在する場合、端末デバイスは、さらに、候補位置のみ又はいくつかアグリゲーションレベルをブラインド検出してよく、それによって、ブラインド検出回数を減らす。予め設定されたアグリゲーションレベルは、ネットワークデバイスにより構成されてよい、又は、予め設定された数式に従って端末デバイスにより算出されてよい、又は、プロトコルにおいて規定されるアグリゲーションレベルであってよい。例えば、予め設定されたアグリゲーションレベルは８である。つまり、端末は、重複する瞬間においてアグリゲーションレベルが８である候補位置のみにブラインド検出を実行する。
【０１９６】
第６の実現可能な実施例において、第１情報がダウンリンク制御情報の長さ調整ステータス情報を含む場合、これに対応して、端末デバイスにより、前述の実施形態の少なくとも２つの探索空間におけるブラインド検出を第１情報に基づいて実行する段階は、具体的には、
ダウンリンク制御情報の長さが調整されていることを第１情報が示す場合、端末デバイスにより、ダウンリンク制御情報の調整された長さを用いて、少なくとも２つの探索空間におけるダウンリンク制御情報をブラインド検出する段階を含む。
【０１９７】
例えば、異なる長さのＤＣＩについて、端末デバイスにＤＣＩを送信する場合、ネットワークデバイスは、パディング（ｐａｄｄｉｎｇ）方式で同一の長さにＤＣＩを調整してよく、端末デバイスがブラインド検出中に同一の長さのＤＣＩのみを検出する。
【０１９８】
任意で、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０１９９】
例えば、より短い長さのダウンリンク制御情報の長さは、より長い長さのダウンリンク制御情報の長さで調整されてよい。任意で、ロールバックフォーマットの長さが構成フォーマットの長さより短い場合、ロールバックフォーマットは、構成フォーマットに対してパディング（ｐａｄｄｉｎｇ）されてよい。構成フォーマットの長さが、ロールバックフォーマットの長さより短い場合、構成フォーマットは、ロールバックフォーマットに対してパディング（ｐａｄｄｉｎｇ）されてよい。
【０２００】
任意で、予め設定された時間の範囲に１つの探索空間のみが存在すると判定した場合、端末デバイスは、複数の長さのＤＣＩをパディングする必要がなく、元のＤＣＩ長をさらに用いてよく、ダウンリンク制御情報のオーバヘッドを減らす。
【０２０１】
さらに、前述の実施形態に基づいて、ダウンリンク制御情報の伝送方法は、
端末デバイスにより、ネットワークデバイスから第１情報を受信する段階をさらに含む。
【０２０２】
任意で第１情報は、代わりに、端末デバイスに予め格納された情報であってよい。
【０２０３】
さらに、前述の実施形態に基づいて、本願の実施形態は、ダウンリンク制御情報の伝送方法をさらに提供する。図５は、本願の実施形態２に係るダウンリンク制御情報の伝送方法の概略的なフローチャートである。本実施形態において、ブラインド検出を実行する前に、端末デバイスは、まず、すべての探索空間に対応する総ブラインド検出回数が、端末デバイスの最高ブラインド検出回数より多いと判定する必要がある。図５に示されるように、本願の本実施形態において提供されるダウンリンク制御情報の伝送方法は、以下の段階を含む。
【０２０４】
Ｓ５０１．端末デバイスは、予め設定された持続時間において少なくとも２つの探索空間が存在すると判定する。
【０２０５】
Ｓ５０２．端末デバイスは、少なくとも２つの探索空間に対応する総ブラインド検出回数が、端末デバイスの最高ブラインド検出回数より多いと判定する。
【０２０６】
例えば、少なくとも２つの探索空間が存在すると端末デバイスが判定した場合、端末デバイスは、まず、少なくとも２つの探索空間に対応する総ブラインド検出回数を判定して、総ブラインド検出回数を端末デバイスの最高ブラインド検出回数と比較する必要がある。探索空間に対応する総ブラインド検出回数が、端末デバイスの最高ブラインド検出回数より多くない場合、ブラインド検出が直接実行されてよい。探索空間に対応する総ブラインド検出回数が、端末デバイスの最高ブラインド検出回数より多い場合、ブラインド検出は、第１情報に基づいて実行される必要がある。
【０２０７】
Ｓ５０３．端末デバイスは、少なくとも２つの探索空間におけるブラインド検出を第１情報に基づいて実行する。
【０２０８】
例えば、本実施形態において、Ｓ５０１及びＳ５０３は、図３に示される実施形態のＳ３０１及びＳ３０２と同一である。本実施形態において、詳細が改めて説明されることはない。
【０２０９】
本願の本実施形態において提供されるダウンリンク制御情報の伝送方法は、端末デバイスにより、予め設定された持続時間において、少なくとも２つの探索空間が存在すると判定する段階と、端末デバイスにより、少なくとも２つの探索空間に対応する総ブラインド検出回数が、端末デバイスの最高ブラインド検出回数より多いと判定する段階と、端末デバイスにより、第１情報に基づいて、少なくとも２つの探索空間におけるブラインド検出を実行する段階とを含む。本実施形態において、第１情報に基づいて、少なくとも２つの探索空間におけるブラインド検出を実行する前に、端末デバイスはまず、重複する瞬間において探索空間に対応する総ブラインド検出回数が、端末デバイスの最高ブラインド検出回数より多いと判定し、それによって、探索空間に対応する総ブラインド検出回数が、端末デバイスの最高ブラインド検出回数より多くない場合、第１情報に基づいてブラインド検出がさらに実行されることを防止し、端末デバイスのブラインド検出能力の無駄を回避する。
【０２１０】
５Ｇ  ＮＲ通信システムにおいて、データレート及びシステム性能を向上させ、遅延を減らすために、新たな技術、例えば、ミニスロット、スロットアグリゲーション、複数のサブキャリア間隔及び可変のＤＣＩ長が導入される。これらの技術はすべて、予め設定された持続時間において端末デバイスにより必要とされるブラインド検出回数を変化させ得る。したがって、本願の実施形態は、ブラインド検出回数を取得するための方法をさらに提供する。
【０２１１】
具体的には、５Ｇ  ＮＲ通信システムにおいて、キャリアアグリゲーション（Ｃｏｍｐｏｎｅｎｔ  Ａｇｇｒｅｇａｔｉｏｎ、ＣＡ）技術が、システム帯域幅を拡張するための方法として用いられ、進化型マルチアンテナ技術（多入力他出力、Ｍｕｌｔｉｐｌｅ−Ｉｎｐｕｔ  Ｍｕｌｔｉｐｌｅ−Ｏｕｔｐｕｔ、ＭＩＭＯ）及び協調マルチポイント技術（Ｃｏｏｒｄｉｎａｔｅｄ  Ｍｕｌｔｉ―Ｐｏｉｎｔ、ＣｏＭＰ）が、データレート及びシステム性能を向上させるために用いられる。キャリアアグリゲーション技術において、複数のキャリアが同じ端末デバイスに割り当てられる。予め設定された持続時間において、端末デバイスによりブラインド検出される必要がある探索空間の数は、アグリゲートされるキャリアのｎ倍になり、ｎは正の整数である。ＭＩＭＯ技術及びＣｏＭＰ技術の両方が、探索空間の数の増加をもたらす。探索空間の数の増加は、結果として、予め設定された持続時間内で端末デバイスにより実行される必要があるブラインド検出回数の変更をもたらす。
【０２１２】
同様に、５Ｇ  ＮＲにおいて、複数のサブキャリア間隔がさらに導入される。ベースラインとして１５ｋＨｚを用いることで、サブキャリア間隔は、１５ｋＨｚ×２ｎであってよく、ｎは整数であり、３．７５ｋＨｚ、７．５ｋＨｚ、...、４８０ｋＨｚという最高で８個のサブキャリア間隔ある。これに対応して、サブキャリア間隔が変化するにつれて、５Ｇ  ＮＲには、複数のシンボル長及びスロット長がさらに存在する。例えば、サブキャリア間隔が増加するにつれて、シンボル長は減少し、その結果、共通のスロットは常に１４個のシンボルを含むので、共通のスロットの長さはより短くなる。１つのサブフレームは常に１ミリ秒であり、１つのサブフレームに含まれる共通のスロットの数が増加する。
【０２１３】
任意で、５Ｇ  ＮＲにおいて、スロット内のシンボルの機能は、ダウンリンク伝送ＤＬ、ガード期間（Ｇｕａｒｄ  Ｐｅｒｉｏｄ、ＧＰ）又はアップリンク伝送ＵＬなどのうちの少なくとも１つを含んでよい。したがって、５Ｇにおけるスロットに関して、スロットは、スロット内のシンボルの異なる機能に基づいて、少なくとも、ＤＬのみのスロットＤＬ中心のスロット、ＵＬ中心のスロット及びＵＬのみのスロットなどに分割されてよい。任意で、異なるスロット構成に含まれるアップリンクシンボルの数／ダウンリンクシンボルの数／ガード期間シンボルの数は、必ずしも同一ではない。代わりに、スロットは、異なるスロットタイプを有してよく、異なるスロットタイプは、異なる数のシンボルを含む。例えば、ミニスロット（Ｍｉｎｉ  ｓｌｏｔ）に含まれるシンボルの数は、１４より少ない（例えば、２つのシンボル、４つのシンボル又は７個のシンボル）であり、共通のスロット（ｓｌｏｔ）は、１４個のシンボルを含む。
【０２１４】
任意で、５Ｇ  ＮＲにおける通信デバイスは通常、高周波数シナリオにおいて動作し、フェージングが激しい。カバレッジの課題を解決するために、スロットアグリゲーション技術が５Ｇ  ＮＲに導入される。具体的には、複数のスロットは、データ伝送のために同じ端末デバイスに割り当てられてよく、アップリンクデータスケジューリング又はダウンリンクデータスケジューリングのために用いられてよい、又は、複数のスロットは、代わりに、アップリンク制御情報（Ｕｐｌｉｎｋ  Ｃｏｎｔｒｏｌ  Ｉｎｆｏｒｍａｔｉｏｎ、ＵＣＩ）の繰り返しのために用いられてよい。
【０２１５】
任意で、ＤＣＩに関する設計は、５Ｇ  ＮＲにおけるさらなる柔軟性をサポートするために、多くの情報が、動的なインジケーションに変更される。しかしながら、過度に多くの情報がＤＣＩにおいて搬送される必要がある場合、ＤＣＩの総オーバヘッドが過度に多くなる。したがって、端末デバイスに対して、準静的なＲＲＣシグナリング、ＤＣＩにおける一部のフィールドの有無（ｐｒｅｓｅｎｃｅ／ａｂｓｅｎｃｅ）を用いて構成されることが考慮され、ＤＣＩ内のフィールドの長さ及び数は、ＲＲＣを用いて構成されてもよく、それによって、柔軟性を向上させ、ＤＣＩが比較的大きい固定されたオーバヘッドを有することを回避する。しかしながら、このやり方では、ＤＣＩの長さは、比較的柔軟であり、端末デバイスにより実行される必要があるブラインド検出回数が増える。
【０２１６】
したがって、５Ｇにおける前述の新たな技術の導入は、すべて、予め設定された持続時間において端末デバイスの異なるブラインド検出回数を結果としてもたらし得る。前述の課題を解決するために、本願の実施形態は、ブラインド検出回数を取得するための方法を提供する。図６は、本願の実施形態１に係るブラインド検出回数を取得するための方法の概略的なフローチャートである。図６に示されるように、ブラインド検出回数を取得するための方法は、以下の段階を含む。
【０２１７】
Ｓ６０１．端末デバイスは、ネットワークデバイスから第２情報を受信し、第２情報は、探索空間構成情報を含む。
【０２１８】
例えば、端末デバイスに対して探索空間を構成する場合、ネットワークデバイスは、端末デバイスに探索空間構成情報を送信する。構成情報は、例えば、探索空間のタイプ情報、探索空間に含まれるアグリゲーションレベル又は他の情報などの探索空間の属性情報であってよい。
【０２１９】
Ｓ６０２．端末デバイスは、探索空間構成情報に基づいて、探索空間構成情報により示される探索空間における端末デバイスの最高ブラインド検出回数を判定する。
【０２２０】
例えば、新しい技術が５Ｇ  ＮＲに導入される場合、探索空間構成情報が変更される。したがって、端末デバイスは、受信した探索空間構成情報に基づいて、探索空間における端末デバイスの最高ブラインド検出回数を判定する。
【０２２１】
本願の本実施形態は、ブラインド検出回数を取得するための方法を提供し、端末デバイスにより、ネットワークデバイスから第２情報を受信する段階であって、第２情報は、探索空間構成情報を含み、端末デバイスにより、探索空間構成情報に基づいて、当該探索空間構成情報により示される探索空間における端末デバイスの最高ブラインド検出回数を判定する段階を含む。本実施形態において、端末デバイスは、探索空間構成情報に基づいて、端末デバイスの最高ブラインド検出回数を判定して、端末デバイスの正確な最高ブラインド検出回数を取得する。
【０２２２】
例えば、前述の実施形態において、端末デバイスが探索空間構成情報に基づいて最高ブラインド検出回数を判定する方式では、以下のいくつかの方式を含んでよい。
【０２２３】
第１の実現可能な取得方式において、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０２２４】
例えば、端末デバイスは、サブキャリア間隔情報に基づいて最高ブラインド検出回数を判定する。より大きいサブキャリア間隔は、より小さいシンボル長を示すので、端末デバイスに関するブラインド検出回数は、サブキャリア間隔が大きくなるにつれて減少する。例えば、サブキャリア間隔が１５ｋＨｚである場合、端末デバイスのブラインド検出回数は４４回である。したがって、サブキャリア間隔が３０ｋＨｚへと増加した場合、スロット内の端末デバイスのブラインド検出回数は２２回に減少し得、サブキャリア間隔が６０ｋＨｚへと増加した場合、スロット内の端末デバイスのブラインド検出回数は１１回に減少し得る、又は、サブキャリア間隔が１２０ｋＨｚへと増加した場合、スロット内の端末デバイスのブラインド検出回数は５回に減少し得る。したがって、１ｍｓの固定された持続時間内での端末デバイスの総ブラインド検出回数は４４回のままである。
【０２２５】
例えば、スロットタイプがミニスロットである場合、ミニスロットにおける端末デバイスの最高ブラインド検出回数が減少する。
【０２２６】
例えば、スロットタイプがミニスロットを含む場合、共通のスロットにおける端末デバイスの最高ブラインド検出回数が減少する。
【０２２７】
例えば、スロットタイプがミニスロットを含む場合、端末デバイスは、共通のスロット内の共通の探索空間のみをブラインド検出する。
【０２２８】
例えば、スロットアグリゲーションがスケジューリングされた場合、共通のスロットにおける端末デバイスの最高ブラインド検出回数が減少する。スロットアグリゲーションがスケジューリングされた場合、ミニスロットにおける端末デバイスのブラインド検出回数が増加する。
【０２２９】
例えば、共通のスロット内のＣＯＲＥＳＥＴシンボルの数が比較的少ない場合、端末デバイスに対する最高ブラインド検出回数は減少する。共通のスロット内のＣＯＲＥＳＥＴシンボルの数が比較的小さい場合、ミニスロットにおける端末デバイスのブラインド検出回数が増加する。
【０２３０】
第２の実現可能な取得方式において、端末デバイスにより、探索空間構成情報に基づいて、探索空間構成情報により示される探索空間における端末デバイスの最高ブラインド検出回数を判定する段階は、
端末デバイスにより、探索空間構成情報により示される探索空間における端末デバイスの最高ブラインド検出回数を、探索空間構成情報及び端末デバイスのマルチアンテナ構成情報に基づいて判定する段階であって、マルチアンテナ構成情報は、アンテナの数、コードワードの数及びレイヤの数のうちの少なくとも１つを含む、段階を含む。
【０２３１】
第３の実現可能な取得方式において、端末デバイスにより、探索空間構成情報に基づいて、探索空間構成情報により示される探索空間における端末デバイスの最高ブラインド検出回数を判定する段階は、
端末デバイスにより、端末デバイスがリッスンする必要があるビーム及び／又は伝送ポイントの数と、探索空間構成情報とに基づいて、各ビーム及び／又は伝送ポイントでの端末デバイスの最高ブラインド検出回数を判定する段階を含む。
【０２３２】
例えば、協調マルチポイント技術が５Ｇに導入される場合、端末デバイスは、複数のビーム又は伝送ポイントをリッスンする必要がある。例えば、端末デバイスの最高ブラインド検出回数は、ビーム／伝送ポイントの数を乗じた最高ブラインド検出回数であってよい。例えば、端末デバイスは、各ビーム又は伝送ポイントに最高ブラインド検出回数を均等に割り当ててもよい。
【０２３３】
第４の実現可能な取得方式において、端末デバイスにより、探索空間構成情報に基づいて、探索空間構成情報により示される探索空間における端末デバイスの最高ブラインド検出回数を判定する段階は、
端末デバイスにより、アグリゲートされるキャリアの数に関する情報及び探索空間構成情報に基づいて、各キャリアでの探索空間における端末デバイスの最高ブラインド検出回数を判定する段階を含む。
【０２３４】
例えば、キャリアアグリゲーション技術が５Ｇに導入される場合、端末デバイスは、複数のキャリアでの探索空間をリッスンする必要がある。例えば、端末デバイスの最高ブラインド検出回数は、最高ブラインド検出回数×アグリゲートされるキャリアの数であってよい。例えば、端末デバイスは、各キャリアに最高ブラインド検出回数を均等に割り当ててもよい。
【０２３５】
例えば、前述の実施形態のいずれか１つに基づいて、本願の実施形態は、ブラインド検出回数を取得するための方法をさらに提供する。本実施形態において、端末デバイスが探索空間構成情報に基づいてブラインド検出回数を判定する前に、ブラインド検出回数を取得するための方法は、
端末デバイスにより、端末デバイスにおりサポートされ得る最高ブラインド検出回数をネットワークデバイスに送信する段階をさらに含む。
【０２３６】
例えば、端末デバイスは、代わりに、端末デバイスの最高ブラインド検出能力をネットワークデバイスに報告してよく、その結果、端末デバイスによりブラインド検出される必要がある候補位置の総数が、端末デバイスの最高ブラインド検出回数を超える場合を回避する。
【０２３７】
本願の実施形態の別の態様は、ネットワークデバイス側に適用されるダウンリンク制御情報の伝送方法をさらに提供する。方法は、端末デバイス側でのダウンリンク制御情報の伝送方法に対応し、同一又は類似の技術的特徴を有する。詳細が本願において改めて説明されることはない。
【０２３８】
図７は、本願の実施形態３に係るダウンリンク制御情報の伝送方法の概略的なフローチャートである。図７に示されるように、ダウンリンク制御情報の伝送方法は、以下の段階を含む。
【０２３９】
Ｓ７０１．ネットワークデバイスは、送信対象のダウンリンク制御情報を判定する。
【０２４０】
Ｓ７０２．ネットワークデバイスは、予め設定された持続時間において、少なくとも２つの探索空間におけるダウンリンク制御情報を第１情報に基づいて送信する。
【０２４１】
第１情報は、少なくとも２つの探索空間におけるダウンリンク制御情報を受信することを端末デバイスに示すために用いられる。
【０２４２】
任意で、少なくとも２つの探索空間のいずれか２つは、異なる期間を有する、又は、同一の周期及び同一のオフセットを有する。
【０２４３】
任意で、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０２４４】
任意で、第１情報は、ダウンリンク制御情報の長さ情報を含み、ネットワークデバイスにより、少なくとも２つの探索空間におけるダウンリンク制御情報を第１情報に基づいて送信する段階は、
ネットワークデバイスにより、少なくとも２つの探索空間における、長さ情報により示される長さのダウンリンク制御情報を送信する段階を含む。
【０２４５】
任意で、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０２４６】
任意で、第１情報は、探索空間のうちの少なくとも１つについての優先度情報を含み、ネットワークデバイスにより、少なくとも２つの探索空間におけるダウンリンク制御情報を第１情報に基づいて送信する段階は、
ネットワークデバイスにより、少なくとも２つの探索空間におけるダウンリンク制御情報を優先度情報に基づいて送信する段階を含む。
【０２４７】
任意で、方法は、
ネットワークデバイスにより、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定する段階をさらに含む。
【０２４８】
任意で、第１情報は、ダウンリンク制御情報の長さ調整ステータス情報を含み、ネットワークデバイスにより、少なくとも２つの探索空間におけるダウンリンク制御情報を第１情報に基づいて送信する段階は、
ダウンリンク制御情報の長さが調整されていることを第１情報が示す場合、ネットワークデバイスにより、少なくとも２つの探索空間における調整されたダウンリンク制御情報を送信する段階を含む。
【０２４９】
任意で、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０２５０】
任意で、ダウンリンク制御情報の伝送方法は、
ネットワークデバイスにより、端末デバイスに第１情報を送信する段階をさらに含む。
【０２５１】
任意で、ネットワークデバイスにより、少なくとも２つの探索空間におけるダウンリンク制御情報を第１情報に基づいて送信する段階の前に、方法は、
ネットワークデバイスにより、少なくとも２つの探索空間において端末デバイスにより実行される必要がある総最高ブラインド検出回数が、端末デバイスの最高ブラインド検出回数より多いと判定する段階をさらに含む。
【０２５２】
任意で、第１情報は、予め設定された候補位置情報を含み、ネットワークデバイスにより、少なくとも２つの探索空間におけるダウンリンク制御情報を第１情報に基づいて送信する段階は、
ネットワークデバイスにより、少なくとも２つの探索空間における予め設定された候補位置情報により示される候補位置におけるダウンリンク制御情報を送信する段階を含む。
【０２５３】
任意で、第１情報は、予め設定された探索空間情報を含み、ネットワークデバイスにより、少なくとも２つの探索空間におけるダウンリンク制御情報を第１情報に基づいて送信する段階は、
ネットワークデバイスにより、少なくとも２つの探索空間における予め設定された探索空間情報により示される予め設定された探索空間においてダウンリンク制御情報を送信する段階を含む。
【０２５４】
任意で、第１情報は、予め設定されたアグリゲーションレベルに関する情報を含み、ネットワークデバイスにより、少なくとも２つの探索空間におけるダウンリンク制御情報を第１情報に基づいて送信する段階は、
ネットワークデバイスにより、少なくとも２つの探索空間における予め設定されたアグリゲーションレベルの候補位置においてダウンリンク制御情報を送信する段階を含む。
【０２５５】
本願の実施形態の別の態様は、ネットワークデバイス側に適用されるブラインド検出回数を取得するための方法をさらに提供する。方法は、端末デバイス側でブラインド検出回数を取得するための方法に対応し、かつ、同一又は類似の技術的特徴を有する。詳細が本願において改めて説明されることはない。
【０２５６】
図８は、本願の実施形態２に係るブラインド検出回数を取得するための方法の概略的なフローチャートである。図８に示されるように、ブラインド検出回数を取得するための方法は、以下の段階を含む。
【０２５７】
Ｓ８０１．ネットワークデバイスは、端末デバイスによりサポートされ、かつ、端末デバイスからの最高ブラインド検出回数を受信する。
【０２５８】
Ｓ８０２．ネットワークデバイスは、最高ブラインド検出回数と、端末デバイスに対してネットワークデバイスにより構成される探索空間の構成情報とに基づいて、探索空間における端末デバイスの最高ブラインド検出回数を判定する。
【０２５９】
任意で、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０２６０】
任意で、ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階は、
ネットワークデバイスにより、最高ブラインド検出回数、構成情報及び端末デバイスのマルチアンテナ構成情報に基づいて、探索空間における端末デバイスの最高ブラインド検出回数を判定する段階であって、マルチアンテナ構成情報は、アンテナの数、コードワードの数及びレイヤの数のうちの少なくとも１つを含む、段階を含む。
【０２６１】
任意で、ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階は、
ネットワークデバイスにより、最高ブラインド検出回数と、端末デバイスがリッスンする必要があるビーム及び／又は伝送ポイントの数と、構成情報とに基づいて、各ビーム及び／又は伝送ポイントでの端末デバイスの最高ブラインド検出回数を判定する段階を含む。
【０２６２】
任意で、ネットワークデバイスにより、最高ブラインド検出回数と、端末デバイスに対してネットワークデバイスにより構成される探索空間の構成情報とに基づいて、探索空間における端末デバイスの最高ブラインド検出回数を判定する段階は、
ネットワークデバイスにより、最高ブラインド検出回数、アグリゲートされるキャリアの数に関する情報及び構成情報に基づいて、各キャリアでの探索空間における端末デバイスの最高ブラインド検出回数を判定する段階を含む。
【０２６３】
本願の実施形態の別の態様は、ダウンリンク制御情報伝送装置をさらに提供し、当該ダウンリンク制御情報伝送装置は、前述の実施形態における端末デバイス側でのダウンリンク制御情報の伝送方法を実行するように構成され、かつ、同一の技術的特徴及び技術的効果を有する。詳細が本願において改めて説明されることはない。
【０２６４】
図９は、本願の実施形態１に係るダウンリンク制御情報伝送装置の概略的な構造図である。本実施形態において、ダウンリンク制御情報伝送装置は、ソフトウェア、ハードウェア又はソフトウェア及びハードウェアの組み合わせを用いて実装され得る。図９に示されるように、ダウンリンク制御情報伝送装置は、
予め設定された持続時間において少なくとも２つの探索空間が存在すると判定するように構成される探索空間検出モジュール９０１と、
少なくとも２つの探索空間におけるブラインド検出を第１情報に基づいて実行するように構成されるブラインド検出モジュール９０２と
を含み、
第１情報は、少なくとも２つの探索空間におけるブラインド検出を実行することを装置に示すために用いられ、少なくとも２つの探索空間における装置の総ブラインド検出回数は、予め設定された持続時間における装置の最高ブラインド検出回数を超えない。
【０２６５】
任意で、少なくとも２つの探索空間のいずれか２つは、異なる期間を有する、又は、同一の周期及び同一のオフセットを有する。
【０２６６】
任意で、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０２６７】
任意で、第１情報は、ダウンリンク制御情報の長さ情報を含み、ブラインド検出モジュール９０２は、具体的には、少なくとも２つの探索空間における、長さ情報により示される長さのダウンリンク制御情報をブラインド検出するように構成される。
【０２６８】
任意で、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０２６９】
任意で、第１情報は、探索空間のうちの少なくとも１つについての優先度情報を含み、ブラインド検出モジュール９０２は、具体的には、優先度情報に基づいて、少なくとも２つの探索空間におけるブラインド検出を実行するように構成される。
【０２７０】
任意で、ブラインド検出モジュール９０２は、具体的には、ダウンリンク制御情報が検出されるまで、又は、ブラインド検出回数が装置の最高ブラインド検出回数に達するまで、又は、装置が少なくとも２つの探索空間におけるブラインド検出を完了するまで、少なくとも２つの探索空間におけるブラインド検出を優先度に基づいて降順に連続的に実行するように構成される。
【０２７１】
さらに、図９に示される実施形態に基づいて、図１０は、本願の実施形態２に係るダウンリンク制御情報伝送の概略的な構造図である。図１０に示されるように、ダウンリンク制御情報伝送装置は、
探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される優先度取得モジュール９０３をさらに含む。
【０２７２】
任意で、第１情報は、ダウンリンク制御情報の長さ調整ステータス情報を含み、ブラインド検出モジュール９０２は、具体的には、ダウンリンク制御情報の長さが調整されていることを第１情報が示す場合、ダウンリンク制御情報の調整された長さを用いて、少なくとも２つの探索空間におけるダウンリンク制御情報をブラインド検出するように構成される。
【０２７３】
任意で、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０２７４】
さらに、図１０に示されるように、ダウンリンク制御情報伝送装置は、ネットワークデバイスから第１情報を受信するように構成される受信モジュール９０４をさらに含む。
【０２７５】
任意で、ブラインド検出モジュール９０２は、さらに、少なくとも２つの探索空間に対応する総ブラインド検出回数が、装置の最高ブラインド検出回数より多いと判定するように構成される。
【０２７６】
任意で、第１情報は、予め設定された候補位置情報を含み、ブラインド検出モジュール９０２は、具体的には、少なくとも２つの探索空間における予め設定された候補位置情報により示される候補位置においてブラインド検出を実行するように構成される。
【０２７７】
任意で、第１情報は、予め設定された探索空間情報を含み、ブラインド検出モジュール９０２は、具体的には、少なくとも２つの探索空間における予め設定された探索空間情報により示される予め設定された探索空間においてブラインド検出を実行するように構成される。
【０２７８】
任意で、第１情報は、予め設定されたアグリゲーションレベルに関する情報を含み、ブラインド検出モジュール９０２は、具体的には、少なくとも２つの探索空間における予め設定されたアグリゲーションレベルの候補位置をブラインド検出するように構成される。
【０２７９】
本願の実施形態の別の態様は、ブラインド検出回数を取得するための装置をさらに提供し、当該装置は、前述の実施形態における端末デバイス側でブラインド検出回数を取得するための方法を実行するように構成され、かつ、同一の技術的特徴及び技術的効果を有する。詳細が本願において改めて説明されることはない。
【０２８０】
図１１は、本願の実施形態１に係るブラインド検出回数を取得するための装置の概略的な構造図である。本実施形態において、ブラインド検出回数を取得するための装置は、ソフトウェア、ハードウェア又はソフトウェア及びハードウェアの組み合わせを用いて実装されてよい。図１１に示されるように、ブラインド検出回数を取得するための装置は、
ネットワークデバイスから第２情報を受信するように構成される受信モジュール１１０１であって、第２情報は、探索空間構成情報を含む、受信モジュール１１０１と、
探索空間構成情報に基づいて、探索空間構成情報により示される探索空間における装置の最高ブラインド検出回数を判定するように構成されるブラインド検出回数取得モジュール１１０２と
を含む。
【０２８１】
任意で、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０２８２】
任意で、ブラインド検出回数取得モジュール１１０２は、具体的には、探索空間構成情報及び装置のマルチアンテナ構成情報に基づいて、探索空間構成情報により示される探索空間における装置の最高ブラインド検出回数を判定するように構成され、マルチアンテナ構成情報は、アンテナの数、コードワードの数及びレイヤの数のうちの少なくとも１つを含む。
【０２８３】
任意で、ブラインド検出回数取得モジュール１１０２は、具体的には、装置がリッスンする必要があるビーム及び／又は伝送ポイントの数と、探索空間構成情報とに基づいて、各ビーム及び／又は伝送ポイントでの装置の最高ブラインド検出回数を判定するように構成される。
【０２８４】
任意で、ブラインド検出回数取得モジュール１１０２は、具体的には、アグリゲートされるキャリアの数に関する情報及び探索空間構成情報に基づいて、各キャリアでの探索空間における装置の最高ブラインド検出回数を判定するように構成される。
【０２８５】
任意で、図１１に示されるように、ブラインド検出回数を取得するための装置は、
装置によりサポートされ得る最高ブラインド検出回数をネットワークデバイスに送信するように構成される送信モジュール１１０３をさらに含む。
【０２８６】
本願の実施形態の別の態様は、ダウンリンク制御情報伝送装置をさらに提供し、当該ダウンリンク制御情報伝送装置は、前述の実施形態におけるネットワークデバイス側でのダウンリンク制御情報の伝送方法を実行するように構成され、かつ、同一の技術的特徴及び技術的効果を有する。詳細が本願において改めて説明されることはない。
【０２８７】
図１２は本願の実施形態３に係るダウンリンク制御情報伝送装置の概略的な構造図である。本実施形態において、ダウンリンク制御情報伝送装置は、ソフトウェア、ハードウェア又はソフトウェア及びハードウェアの組み合わせを用いて実装され得る。図１２に示されるように、ダウンリンク制御情報伝送装置は、
送信対象のダウンリンク制御情報を判定するように構成されるダウンリンク制御情報取得モジュール１２０１と、
予め設定された持続時間において、少なくとも２つの探索空間におけるダウンリンク制御情報を第１情報に基づいて送信するように構成されるダウンリンク制御情報送信モジュール１２０２と
を含み、
第１情報は、少なくとも２つの探索空間におけるダウンリンク制御情報を受信することを端末デバイスに示すために用いられる。
【０２８８】
任意で、少なくとも２つの探索空間のいずれか２つは、異なる期間を有する、又は、同一の周期及び同一のオフセットを有する。
【０２８９】
任意で、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０２９０】
任意で、第１情報は、ダウンリンク制御情報の長さ情報を含み、ダウンリンク制御情報送信モジュール１２０２は、具体的には、少なくとも２つの探索空間における、長さ情報により示される長さのダウンリンク制御情報を送信するように構成される。
【０２９１】
任意で、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０２９２】
任意で、第１情報は、探索空間のうちの少なくとも１つについての優先度情報を含み、ダウンリンク制御情報送信モジュール１２０２は、具体的には、少なくとも２つの探索空間におけるダウンリンク制御情報を優先度情報に基づいて送信するように構成される。
【０２９３】
任意で、図１２に示されるように、ダウンリンク制御情報伝送装置は、
探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される優先度取得モジュール１２０３をさらに含む。
【０２９４】
任意で、第１情報は、ダウンリンク制御情報の長さ調整ステータス情報を含み、ダウンリンク制御情報送信モジュール１２０２は、具体的には、ダウンリンク制御情報の長さが調整されていることを第１情報が示す場合、少なくとも２つの探索空間における調整されたダウンリンク制御情報を送信するように構成される。
【０２９５】
任意で、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０２９６】
任意で、図１２に示されるように、ダウンリンク制御情報伝送装置は、
端末デバイスに第１情報を送信するように構成される送信モジュール１２０４をさらに含む。
【０２９７】
任意で、ダウンリンク制御情報送信モジュール１２０２は、さらに、少なくとも２つの探索空間において端末デバイスにより実行される必要がある総最高ブラインド検出回数が、端末デバイスの最高ブラインド検出回数より多いと判定するように構成される。
【０２９８】
任意で、第１情報は、予め設定された候補位置情報を含み、ダウンリンク制御情報送信モジュール１２０２は、具体的には、少なくとも２つの探索空間における予め設定された候補位置情報により示される候補位置においてダウンリンク制御情報を送信するように構成される。
【０２９９】
任意で、第１情報は、予め設定された探索空間情報を含み、ダウンリンク制御情報送信モジュール１２０２は、具体的には、少なくとも２つの探索空間における予め設定された探索空間情報により示される予め設定された探索空間においてダウンリンク制御情報を送信するように構成される。
【０３００】
任意で、第１情報は、予め設定されたアグリゲーションレベルに関する情報を含み、ダウンリンク制御情報送信モジュール１２０２は、具体的には、少なくとも２つの探索空間における予め設定されたアグリゲーションレベルの候補位置においてダウンリンク制御情報を送信するように構成される。
【０３０１】
本願の実施形態の別の態様は、ブラインド検出回数を取得するための装置をさらに提供し、当該装置は、前述の実施形態におけるネットワークデバイス側においてブラインド検出回数を取得するための方法を実行するように構成され、かつ、同一の技術的特徴及び技術的効果を有する。詳細が本願において改めて説明されることはない。
【０３０２】
図１３は、本願の実施形態２に係るブラインド検出回数を取得するための装置の概略的な構造図である。本実施形態において、ブラインド検出回数を取得するための装置は、ソフトウェア、ハードウェア又はソフトウェア及びハードウェアの組み合わせを用いて実装され得る。図１３に示されるように、ブラインド検出回数を取得するための装置は、
端末デバイスによりサポートされ、かつ、端末デバイスからの最高ブラインド検出回数を受信するように構成される受信モジュール１３０１と、
最高ブラインド検出回数と、端末デバイスに対して装置により構成される探索空間の構成情報とに基づいて、探索空間における端末デバイスの最高ブラインド検出回数を判定するように構成される最高ブラインド検出回数取得モジュール１３０２と
を含む。
【０３０３】
任意で、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０３０４】
任意で、最高ブラインド検出回数取得モジュール１３０２は、具体的には、最高ブラインド検出回数、構成情報及び端末デバイスのマルチアンテナ構成情報に基づいて、探索空間における端末デバイスの最高ブラインド検出回数を判定するように構成され、マルチアンテナ構成情報は、アンテナの数、コードワードの数及びレイヤの数のうちの少なくとも１つを含む。
【０３０５】
任意で、最高ブラインド検出回数取得モジュール１３０２は、具体的には、最高ブラインド検出回数と、端末デバイスがリッスンする必要があるビーム及び／又は伝送ポイントの数と、構成情報とに基づいて、各ビーム及び／又は伝送ポイントでの端末デバイスの最高ブラインド検出回数を判定するように構成される。
【０３０６】
任意で、最高ブラインド検出回数取得モジュール１３０２は、具体的には、最高ブラインド検出回数、アグリゲートされるキャリアの数に関する情報及び構成情報に基づいて、各キャリアでの探索空間における端末デバイスの最高ブラインド検出回数を判定するように構成される。
【０３０７】
本願の実施形態の別の態様は、前述の実施形態におけるダウンリンク制御情報の伝送方法を実行するように構成され、かつ、同一の技術的特徴及び技術的効果を有する端末デバイスをさらに提供する。本願において、詳細は説明されない。
【０３０８】
図１４は、本願の実施形態１に係る端末デバイスの概略的な構造図である。図１４に示されるように、端末デバイスは、トランシーバ１４０１と、メモリ１４０２と、プロセッサ１４０３と、少なくとも１つの通信バス１４０４とを含む。通信バス１４０４は、要素間の通信接続を実装するように構成される。メモリ１４０２は、高速ランダムアクセスメモリを含んでよく、不揮発性メモリ、例えば、少なくとも１つのディスクメモリをさらに含んでよい。メモリ１４０２は、様々な処理機能を完了し、本実施形態の方法の段階を実装するために、様々なプログラムを格納してよい。プロセッサ１４０３は、メモリ１４０２に格納されたプログラムを実行するように構成される。本実施形態において、トランシーバ１４０１は、端末デバイス内の無線周波数処理モジュール又はベースバンド処理モジュールであってよい。トランシーバ１４０１は、プロセッサ１４０３に結合される。
【０３０９】
プロセッサ１４０３は、予め設定された持続時間において少なくとも２つの探索空間が存在すると判定し、
少なくとも２つの探索空間におけるブラインド検出を第１情報に基づいて実行するように構成され、第１情報は、少なくとも２つの探索空間におけるブラインド検出を実行することを端末デバイスに示すために用いられ、少なくとも２つの探索空間における端末デバイスの総ブラインド検出回数は、予め設定された持続時間における端末デバイスの最高ブラインド検出回数を超えない。
【０３１０】
任意で、少なくとも２つの探索空間のいずれか２つは、異なる期間を有する、又は、同一の周期及び同一のオフセットを有する。
【０３１１】
任意で、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０３１２】
任意で、第１情報は、ダウンリンク制御情報の長さ情報を含み、プロセッサ１４０３は、具体的には、少なくとも２つの探索空間における、長さ情報により示される長さのダウンリンク制御情報をブラインド検出するように構成される。
【０３１３】
任意で、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０３１４】
任意で、第１情報は、探索空間のうちの少なくとも１つについての優先度情報を含み、プロセッサ１４０３は、具体的には、優先度情報に基づいて、少なくとも２つの探索空間におけるブラインド検出を実行するように構成される。
【０３１５】
任意で、プロセッサ１４０３は、具体的ダウンリンク制御情報が検出されるまで、ブラインド検出回数が端末デバイスの最高ブラインド検出回数に達するまで、又は、端末デバイスが少なくとも２つの探索空間におけるブラインド検出を完了するまで、少なくとも２つの探索空間におけるブラインド検出を優先度に基づいて降順に連続的に実行するように構成される。
【０３１６】
任意で、プロセッサ１４０３は、さらに、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される。
【０３１７】
任意で、第１情報は、ダウンリンク制御情報の長さ調整ステータス情報を含み、プロセッサ１４０３は、具体的には、ダウンリンク制御情報の長さが調整されていることを第１情報が示す場合、ダウンリンク制御情報の調整された長さを用いて、少なくとも２つの探索空間におけるダウンリンク制御情報をブラインド検出するように構成される。
【０３１８】
任意で、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０３１９】
任意で、端末デバイスは、ネットワークデバイスから第１情報を受信するように構成されるトランシーバ１４０１をさらに含む。
【０３２０】
任意で、プロセッサ１４０３は、さらに、少なくとも２つの探索空間に対応する総ブラインド検出回数が、端末デバイスの最高ブラインド検出回数より多いと判定するように構成される。
【０３２１】
任意で、第１情報は、予め設定された候補位置情報を含み、プロセッサ１４０３は、具体的には、少なくとも２つの探索空間における予め設定された候補位置情報により示される候補位置においてブラインド検出を実行するように構成される。
【０３２２】
任意で、第１情報は、予め設定された探索空間情報を含み、プロセッサ１４０３は、具体的には、少なくとも２つの探索空間における予め設定された探索空間情報により示される予め設定された探索空間においてブラインド検出を実行するように構成される。
【０３２３】
任意で、第１情報は、予め設定されたアグリゲーションレベルに関する情報を含み、プロセッサ１４０３は、具体的には、少なくとも２つの探索空間における予め設定されたアグリゲーションレベルの候補位置をブラインド検出するように構成される。
【０３２４】
本願の実施形態の別の態様は、端末デバイスをさらに提供し、当該端末デバイスは、前述の実施形態におけるブラインド検出回数を取得するための方法を実行するように構成され、かつ、同一又は類似の技術的特徴及び技術的効果を有する。図１４に示されるように、端末デバイスは、
ネットワークデバイスから第２情報を受信するように構成されるトランシーバ１４０１であって、第２情報は、探索空間構成情報を含む、トランシーバ１４０１と、
探索空間構成情報に基づいて、探索空間構成情報により示される探索空間における端末デバイスの最高ブラインド検出回数を判定するように構成されるプロセッサ１４０３と
を含む。
【０３２５】
任意で、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０３２６】
任意で、プロセッサ１４０３は、具体的には、探索空間構成情報及び端末デバイスのマルチアンテナ構成情報に基づいて、探索空間構成情報により示される探索空間における端末デバイスの最高ブラインド検出回数を判定するように構成され、マルチアンテナ構成情報は、アンテナの数、コードワードの数及びレイヤの数のうちの少なくとも１つを含む。
【０３２７】
任意で、プロセッサ１４０３は、具体的には、端末デバイスがリッスンする必要があるビーム及び／又は伝送ポイントの数と、探索空間構成情報とに基づいて、各ビーム及び／又は伝送ポイントでの端末デバイスの最高ブラインド検出回数を判定するように構成される。
【０３２８】
任意で、プロセッサ１４０３は、具体的には、アグリゲートされるキャリアの数に関する情報及び探索空間構成情報に基づいて、各キャリアでの探索空間における端末デバイスの最高ブラインド検出回数を判定するように構成される。
【０３２９】
任意で、端末デバイスは、
端末デバイスによりサポートされ得る最高ブラインド検出回数をネットワークデバイスに送信するように構成されるトランシーバ１４０１をさらに含む。
【０３３０】
本願の実施形態の別の態様は、前述の実施形態におけるダウンリンク制御情報の伝送方法を実行するように構成され、かつ、同一の技術的特徴及び技術的効果を有するネットワークデバイスをさらに提供する。本願において詳細は説明されない。
【０３３１】
図１５は、本願の実施形態１に係るネットワークデバイスの概略的な構造図である。図１５に示されるように、ネットワークデバイスは、トランシーバ１５０１と、メモリ１５０２と、プロセッサ１５０３と、少なくとも１つの通信バス１５０４とを含む。通信バス１５０４は、要素間の通信接続を実装するように構成される。メモリ１５０２は、高速ランダムアクセスメモリを含んでよく、不揮発性メモリ、例えば、少なくとも１つのディスクメモリをさらに含んでよい。メモリ１５０２は、様々な処理機能を完了し、本実施形態の方法の段階を実装するために様々なプログラムを格納してよい。プロセッサ１５０３は、メモリ１５０２に格納されたプログラムを実行するように構成される。本実施形態において、トランシーバ１５０１は、ネットワークデバイス内の無線周波数処理モジュール又はベースバンド処理モジュールであってよい。トランシーバ１５０１は、プロセッサ１５０３に結合される。
【０３３２】
プロセッサ１５０３は、送信対象のダウンリンク制御情報を判定し、
予め設定された持続時間において、少なくとも２つの探索空間におけるダウンリンク制御情報を第１情報に基づいて送信するように構成され、第１情報は、少なくとも２つの探索空間におけるダウンリンク制御情報を受信することを端末デバイスに示すために用いられる。
【０３３３】
任意で、少なくとも２つの探索空間のいずれか２つは、異なる期間を有する、又は、同一の周期及び同一のオフセットを有する。
【０３３４】
任意で、第１情報は、
ダウンリンク制御情報の長さ情報、予め設定された候補位置情報、予め設定された探索空間情報、探索空間のうちの少なくとも１つについての優先度情報、予め設定されたアグリゲーションレベルに関する情報又はダウンリンク制御情報の長さ調整ステータス情報のうちの少なくとも１つを含む。
【０３３５】
任意で、第１情報は、ダウンリンク制御情報の長さ情報を含み、プロセッサ１５０３は、具体的には、少なくとも２つの探索空間における、長さ情報により示される長さのダウンリンク制御情報を送信するように構成される。
【０３３６】
任意で、ダウンリンク制御情報の長さ情報は、
ダウンリンク制御情報の長さの最短の長さの値、ダウンリンク制御情報の長さの最長の長さの値、ロールバックフォーマットにおけるダウンリンク制御情報の長さの値又はダウンリンク制御情報の予め設定された長さの値のうちのいずれか１つである。
【０３３７】
任意で、第１情報は、探索空間のうちの少なくとも１つについての優先度情報を含み、プロセッサ１５０３は、具体的には、少なくとも２つの探索空間におけるダウンリンク制御情報を優先度情報に基づいて送信するように構成される。
【０３３８】
任意で、プロセッサ１５０３は、さらに、探索空間のタイプに関する情報、探索空間の周期、探索空間のサブキャリア間隔情報、探索空間により占有されるシンボルに関する情報又はスロット内の探索空間の開始位置に関する情報のうちの少なくとも１つに基づいて、探索空間の優先度を判定するように構成される。
【０３３９】
任意で、第１情報は、ダウンリンク制御情報の長さ調整ステータス情報を含み、プロセッサ１５０３は、具体的には、ダウンリンク制御情報の長さが調整されていることを第１情報が示す場合、少なくとも２つの探索空間における調整されたダウンリンク制御情報を送信するように構成される。
【０３４０】
任意で、ダウンリンク制御情報の長さ調整ステータス情報は、ダウンリンク制御情報において最長の長さを有するダウンリンク制御情報の長さでダウンリンク制御情報の長さが調整されていることを示す、又は、ロールバックフォーマットにおけるダウンリンク制御情報の長さが構成フォーマットにおけるダウンリンク制御情報の長さで調整されていることを示すために用いられる。
【０３４１】
任意で、ネットワークデバイスは、
端末デバイスに第１情報を送信するように構成されるトランシーバ１５０１をさらに含む。
【０３４２】
任意で、プロセッサ１５０３は、さらに、少なくとも２つの探索空間において端末デバイスにより実行される必要がある総最高ブラインド検出回数が、端末デバイスの最高ブラインド検出回数より多いと判定するように構成される。
【０３４３】
任意で、第１情報は、予め設定された候補位置情報を含み、プロセッサ１５０３は、具体的には、少なくとも２つの探索空間における予め設定された候補位置情報により示される候補位置においてダウンリンク制御情報を送信するように構成される。
【０３４４】
任意で、第１情報は、予め設定された探索空間情報を含み、プロセッサ１５０３は、具体的には、少なくとも２つの探索空間における予め設定された探索空間情報により示される予め設定された探索空間においてダウンリンク制御情報を送信するように構成される。
【０３４５】
任意で、第１情報は、予め設定されたアグリゲーションレベルに関する情報を含み、プロセッサ１５０３は、具体的には、少なくとも２つの探索空間における予め設定されたアグリゲーションレベルの候補位置においてダウンリンク制御情報を送信するように構成される。
【０３４６】
本願の実施形態の別の態様は、ネットワーク側のデバイスをさらに提供し、当該デバイスは、前述の実施形態におけるブラインド検出回数を取得するための方法を実行するように構成され、かつ、同一又は類似の技術的特徴及び技術的効果を有する。図１５に示されるように、ネットワークデバイスは、
端末デバイスによりサポートされ、かつ、端末デバイスからの最高ブラインド検出回数を受信するように構成されるトランシーバ１５０１と、
最高ブラインド検出回数と、端末デバイスに対してネットワークデバイスにより構成される探索空間の構成情報とに基づいて、探索空間における端末デバイスの最高ブラインド検出回数を判定するように構成されるプロセッサ１５０３と
を含む。
【０３４７】
任意で、探索空間構成情報は、
サブキャリア間隔情報、スロットタイプ情報、シンボル数情報、帯域幅情報、リソースブロック数情報、リソースエレメントグループ数情報、結合リソースエレメントグループ数情報、制御チャネルエレメント数情報、探索空間のタイプ情報、探索空間に含まれるアグリゲーションレベルのタイプ情報、探索空間におけるダウンリンク制御情報の長さタイプ情報、ミニスロットインジケーション情報、又は、アグリゲートされるスロットに含まれるスロットの数に関する情報のうちの少なくとも１つを含む。
【０３４８】
任意で、プロセッサ１５０３は、具体的には、最高ブラインド検出回数、構成情報及び端末デバイスのマルチアンテナ構成情報に基づいて探索空間における端末デバイスの最高ブラインド検出回数を判定するように構成され、マルチアンテナ構成情報は、アンテナの数、コードワードの数及びレイヤの数のうちの少なくとも１つを含む。
【０３４９】
任意で、プロセッサ１５０３は、具体的には、最高ブラインド検出回数と、端末デバイスがリッスンする必要があるビーム及び／又は伝送ポイントの数と、構成情報とに基づいて、各ビーム及び／又は伝送ポイントでの端末デバイスの最高ブラインド検出回数を判定するように構成される。
【０３５０】
任意で、プロセッサ１５０３は、具体的には、最高ブラインド検出回数、アグリゲートされるキャリアの数に関する情報及び構成情報に基づいて、各キャリアでの探索空間における端末デバイスの最高ブラインド検出回数を判定するように構成される。
【０３５１】
本願の実施形態は、プログラムをさらに提供する。当該プログラムは、プロセッサにより実行される場合、前述の実施形態における端末デバイス側でダウンリンク制御情報の伝送方法を実行するように構成される。本願の実施形態は、プログラム製品、例えば、コンピュータ可読記憶媒体をさらに提供し、プログラム製品は、前述のプログラムを含む。本願の実施形態は、コンピュータ可読記憶媒体をさらに提供する。コンピュータ可読記憶媒体は、命令を格納する。コンピュータ上で命令が実行される場合、コンピュータは、前述の実施形態における端末デバイス側でダウンリンク制御情報の伝送方法を実行するようにイネーブルにされる。
【０３５２】
本願の実施形態は、プログラムをさらに提供する。当該プログラムは、プロセッサにより実行される場合、前述の実施形態における端末デバイス側でブラインド検出回数を取得するための方法を実行するように構成される。本願の実施形態は、プログラム製品、例えば、コンピュータ可読記憶媒体をさらに提供し、当該プログラム製品は、前述のプログラムを含む。本願の実施形態は、コンピュータ可読記憶媒体をさらに提供する。コンピュータ可読記憶媒体は、命令を格納する。コンピュータ上で命令が実行される場合、コンピュータは、前述の実施形態における端末デバイス側でブラインド検出回数を取得するための方法を実行するようにイネーブルにされる。
【０３５３】
本願の実施形態は、プログラムをさらに提供する。当該プログラムは、プロセッサにより実行される場合、前述の実施形態におけるネットワークデバイス側でのダウンリンク制御情報の伝送方法を実行するように構成される。本願の実施形態は、プログラム製品、例えば、コンピュータ可読記憶媒体をさらに提供し、当該プログラム製品は、前述のプログラムを含む。本願の実施形態は、コンピュータ可読記憶媒体をさらに提供する。コンピュータ可読記憶媒体は、命令を格納する。コンピュータ上で命令が実行される場合、コンピュータは、前述の実施形態におけるネットワークデバイス側でダウンリンク制御情報の伝送方法を実行するようにイネーブルにされる。
【０３５４】
本願の実施形態は、プログラムをさらに提供する。当該プログラムは、プロセッサにより実行される場合、前述の実施形態におけるネットワークデバイス側でブラインド検出回数を取得するための方法を実行するように構成される。本願の実施形態は、プログラム製品、例えば、コンピュータ可読記憶媒体をさらに提供し、当該プログラム製品は、前述のプログラムを含む。本願の実施形態は、コンピュータ可読記憶媒体をさらに提供する。コンピュータ可読記憶媒体は、命令を格納する。コンピュータ上で命令が実行される場合、コンピュータは、前述の実施形態におけるネットワークデバイス側でブラインド検出回数を取得するための方法を実行するようにイネーブルにされる。
【０３５５】
さらに、前述のネットワークデバイス及び端末デバイスのモジュール分割は、論理的な機能分割に過ぎず、実際の実施例では、他の分割であってよいことに留意され、理解されたい。例えば、複数のユニット又はコンポーネントは、別のシステムに組み合わせられ又は統合されてよく、又は、いくつかの機能が、無視され又は実行されなくてよい。さらに、表示又は議論される相互結合又は結合又は通信接続は、直接いくつかのインタフェースを用いて実装されてよい。装置間又はユニット間の間接的な結合又は通信接続は、電気的、機械的又は他の形式で実装されてよい。
【０３５６】
別個のパーツとして説明される複数のユニットは、物理的に別個であってもそうでなくてもよく、複数のユニットとして表示されるパーツは、物理ユニットであってもそうでなくてもよく、一ヵ所に配置されてもよく、又は、複数のネットワークユニットに分配されてよい。ユニットの一部又はすべては、実施形態の解決手段の目的を達成するために、実際の要件に基づいて選択されてよい。
【０３５７】
さらに、本願における機能ユニットは、１つの処理ユニットに統合されてよい、又は、当該ユニットのそれぞれが物理的に単独で存在してもよい、又は、２又は複数のユニットが１つのユニットに統合されてもよい。統合されたユニットは、ハードウェアの形態で実装されてよい、又は、ソフトウェア機能ユニットに加えて、ハードウェアの形態で実装されてもよい。
【０３５８】
最後に、前述の実施形態は、本発明の技術的解決手段を説明することを目的としたものに過ぎず、本発明を限定するためのものではないことに留意されたい。前述の実施形態に関して、本発明が詳細に説明されているが、当業者であれば、本発明の実施形態の技術的解決手段の範囲から逸脱することなく、前述の実施形態において説明した技術的解決手段に対する変更をさらに行い、一部又はすべての技術的特徴に対して同等の置換を行ってよいことを理解されたい。
【図１】
2020537852.tif 000003
【図２】
2020537852.tif 000004
【図３】
2020537852.tif 000005
【図４】
2020537852.tif 000006
【図５】
2020537852.tif 000007
【図６】
2020537852.tif 000008
【図７】
2020537852.tif 000009
【図８】
2020537852.tif 000010
【図９】
2020537852.tif 000011
【図１０】
2020537852.tif 000012
【図１１】
2020537852.tif 000013
【図１２】
2020537852.tif 000014
【図１３】
2020537852.tif 000015
【図１４】
2020537852.tif 000016
【図１５】
2020537852.tif 000017
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
ブラインド検出回数を取得するための方法であって、
端末デバイスにより、ネットワークデバイスから第２情報を受信する段階であって、前記第２情報は、サブキャリア間隔情報を有する、段階と、
前記端末デバイスにより、前記サブキャリア間隔情報に基づいて、探索空間における前記端末デバイスの最高ブラインド検出回数を判定する段階と
を備える方法。
【請求項２】
前記サブキャリア間隔情報により示されるサブキャリア間隔が１５ｋＨｚより大きい場合、前記探索空間における前記端末デバイスの前記最高ブラインド検出回数は４４回より少なく、
前記サブキャリア間隔情報により示されるサブキャリア間隔が１５ｋＨｚである場合、前記探索空間における前記端末デバイスの前記最高ブラインド検出回数は４４回である、
請求項１に記載の方法。
【請求項３】
前記サブキャリア間隔情報により示されるより大きいサブキャリア間隔は、より少ない最高ブラインド検出回数を示す、請求項１又は２に記載の方法。
【請求項４】
前記端末デバイスにより、前記サブキャリア間隔情報に基づいて、探索空間における前記端末デバイスの最高ブラインド検出回数を判定する前記段階は、
前記端末デバイスにより、アグリゲートされるキャリアの数に関する情報及び前記サブキャリア間隔情報に基づいて、各キャリア上の探索空間における前記端末デバイスの最高ブラインド検出回数を判定する段階を有する、請求項１から３のいずれか一項に記載の方法。
【請求項５】
各キャリア上の探索空間における前記端末デバイスの前記最高ブラインド検出回数は、同じである、請求項４に記載の方法。
【請求項６】
端末デバイスにより、ネットワークデバイスから第２情報を受信する前記段階の前に、前記方法は、
前記端末デバイスにより、前記端末デバイスによりサポートされ得る最高ブラインド検出回数を前記ネットワークデバイスに送信する段階をさらに備える、請求項１から５のいずれか一項に記載の方法。
【請求項７】
ブラインド検出回数を取得するための方法であって、
ネットワークデバイスにより、端末デバイスによりサポートされ得、かつ、前記端末デバイスからの最高ブラインド検出回数を受信する段階と、
前記ネットワークデバイスにより、前記端末デバイスに第２情報を送信する段階であって、前記第２情報は、サブキャリア間隔情報を有する、段階と
を備え、
前記サブキャリア間隔情報は、探索空間における前記端末デバイスの最高ブラインド検出回数を判定するために用いられる、方法。
【請求項８】
装置であって、
ネットワークデバイスから第２情報を受信するように構成される受信モジュールであって、前記第２情報は、サブキャリア間隔情報を有する、受信モジュールと、
前記サブキャリア間隔情報に基づいて、探索空間における前記装置の最高ブラインド検出回数を判定するように構成されるブラインド検出回数取得モジュールと
を備える装置。
【請求項９】
前記サブキャリア間隔情報により示されるサブキャリア間隔が１５ｋＨｚより大きい場合、前記探索空間における前記装置の前記最高ブラインド検出回数は４４回より少なく、
前記サブキャリア間隔情報により示されるサブキャリア間隔が１５ｋＨｚである場合、前記探索空間における前記装置の前記最高ブラインド検出回数は４４回である、
請求項８に記載の装置。
【請求項１０】
前記サブキャリア間隔情報により示されるより大きいサブキャリア間隔は、より少ない最高ブラインド検出回数を示す、請求項８又は９に記載の装置。
【請求項１１】
前記ブラインド検出回数取得モジュールは、具体的には、
アグリゲートされるキャリアの数に関する情報及び前記サブキャリア間隔情報に基づいて、各キャリア上の探索空間における前記装置の最高ブラインド検出回数を判定するように構成される、請求項８から１０のいずれか一項に記載の装置。
【請求項１２】
各キャリア上の探索空間における前記装置の前記最高ブラインド検出回数は、同じである、請求項１１に記載の装置。
【請求項１３】
前記装置は、
前記装置によりサポートされ得る最高ブラインド検出回数を前記ネットワークデバイスに送信するように構成される送信モジュールをさらに備える、請求項８から１２のいずれか一項に記載の装置。
【請求項１４】
装置であって、
端末デバイスによりサポートされ得、かつ、前記端末デバイスからの最高ブラインド検出回数を受信するように構成される受信モジュールと、
前記端末デバイスに第２情報を送信するように構成される送信モジュールであって、前記第２情報は、サブキャリア間隔情報を有する、送信モジュールと
を備え、
前記サブキャリア間隔情報は、探索空間における前記端末デバイスの最高ブラインド検出回数を判定するために用いられる、装置。
【請求項１５】
プロセッサと、メモリと、コンピュータプログラムとを備える電子デバイスであって、前記コンピュータプログラムは、前記メモリに格納され、前記プロセッサは、前記コンピュータプログラムを実行して、請求項１から６のいずれか一項に記載の方法を実行する、電子デバイス。
【請求項１６】
プロセッサと、メモリと、コンピュータプログラムとを備える電子デバイスであって、前記コンピュータプログラムは、前記メモリに格納され、前記プロセッサは、前記コンピュータプログラムを実行して、請求項７に記載の方法を実行する、電子デバイス。
【請求項１７】
プロセッサに、請求項１から６のいずれか一項に記載の方法を実行させるためのプログラム。
【請求項１８】
プロセッサに、請求項７に記載の方法を実行させるためのプログラム。
【請求項１９】
メモリと、プロセッサとを備えるチップであって、前記メモリは、コンピュータプログラムを格納するように構成され、前記プロセッサは、前記メモリから前記コンピュータプログラムを呼び出して、前記コンピュータプログラムを実行するように構成され、その結果、前記チップが搭載されている電子デバイスは、請求項１から６のいずれか一項に記載の方法を実行する、チップ。
【請求項２０】
メモリと、プロセッサとを備えるチップであって、前記メモリは、コンピュータプログラムを格納するように構成され、前記プロセッサは、前記メモリから前記コンピュータプログラムを呼び出して、前記コンピュータプログラムを実行するように構成され、その結果、前記チップが搭載されている電子デバイスは、請求項７に記載の方法を実行する、チップ。
【手続補正２】
【補正対象書類名】明細書
【補正対象項目名】０１５５
【補正方法】変更
【補正の内容】
【０１５５】
ネットワークデバイス１０は、端末デバイス２０を無線ネットワークに接続するデバイスであり、グローバルシステムフォーモバイルコミュニケーション（Ｇｌｏｂａｌ  Ｓｙｓｔｅｍ ｆｏｒ Ｍｏｂｉｌｅ  ｃｏｍｍｕｎｉｃａｔｉｏｎ、略してＧＳＭ（登録商標））におけるベーストランシーバ基地局（Ｂａｓｅ  Ｔｒａｎｓｃｅｉｖｅｒ  Ｓｔａｔｉｏｎ、略してＢＴＳ）、又は、符号分割多元接続（Ｃｏｄｅ  Ｄｉｖｉｓｉｏｎ  Ｍｕｌｔｉｐｌｅ  Ａｃｃｅｓｓ、略してＣＤＭＡ）であってよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））におけるノードＢ（ＮｏｄｅＢ、略してＮＢ）であってよく、又は、ロングタームエボリューション（Ｌｏｎｇ  Ｔｅｒｍ  Ｅｖｏｌｕｔｉｏｎ、略してＬＴＥ）における進化型ノードＢ（ｅｖｏｌｖｅｄ Ｎｏｄｅ  Ｂ、略してｅＮＢ又はｅＮｏｄｅＢ）、将来の第５世代移動通信（ｔｈｅ  ５ｔｈ  Ｇｅｎｅｒａｔｉｏｎ  Ｍｏｂｉｌｅ  Ｃｏｍｍｕｎｉｃａｔｉｏｎ、５Ｇ）ネットワークにおける中継局、アクセスポイント、基地局、又は、高周波数帯域で動作する中継局、アクセスポイント、車載デバイス及びウェアラブルデバイスなどであってよい。これは、本願において限定されるものではない。図１は、ネットワークデバイス１０が基地局であることが考えられる例を概略的に示す。
【手続補正３】
【補正対象書類名】明細書
【補正対象項目名】０１５６
【補正方法】変更
【補正の内容】
【０１５６】
端末デバイス２０は、無線端末又は有線端末であってよい。無線端末は、音声及び／又は他のサービスデータ接続をユーザに提供するデバイス、無線接続機能を有するハンドヘルドデバイス、又は、無線モデムに接続される別の処理デバイスであってよい。無線端末は、無線アクセスネットワーク（Ｒａｄｉｏ  Ａｃｃｅｓｓ  Ｎｅｔｗｏｒｋ、略してＲＡＮ）を通じて１又は複数のコアネットワークと通信し得る。無線端末は、モバイル端末、例えば、携帯電話（「セルラ」フォンとも称される）であってよく、モバイル端末を有するコンピュータは、例えば、無線アクセスネットワークと音声及び／又はデータを交換するポータブル、ポケットサイズ、ハンドヘルド、コンピュータ内蔵又は車載モバイル装置であってよい。例えば、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、略してＳＩＰ）電話、無線ローカルループ（Ｗｉｒｅｌｅｓｓ  Ｌｏｃａｌ  Ｌｏｏｐ、略してＷＬＬ）局又はパーソナルデジタルアシスタント（Ｐｅｒｓｏｎａｌ  Ｄｉｇｉｔａｌ  Ａｓｓｉｓｔａｎｔ、略してＰＤＡ）などのデバイスであってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、リモート局（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）とも称され得る。本願はこれに限定されるものではない。図１は、端末デバイス２０が携帯電話である例の考えられる概略図を概略的に示す。
【手続補正４】
【補正対象書類名】明細書
【補正対象項目名】０１６３
【補正方法】変更
【補正の内容】
【０１６３】
しかしながら、５Ｇシステムでは、ＬＴＥ通信システムとは異なって、単一のキャリア帯域幅が４００ＭＨｚに達し得る。ダウンリンク制御チャネルＰＤＣＣＨがＬＴＥにあるようなすべての帯域幅を占有する場合は、ＵＥは、すべての帯域幅においてブラインド検出を実行する必要がある。結果として、複雑性が増し、消費電力が大きい。したがって、ネットワークデバイスは通常、端末デバイス用に複数の独立した探索空間／制御リソースセット（ＣＯｎｔｒｏｌ  ＲＥｓｏｕｒｃｅ  ＳＥＴ、ＣＯＲＥＳＥＴ）を構成する。ＣＯＲＥＳＥＴは、制御情報を搬送するために用いられる時間−周波数リソースのセットであり、時間領域における１から３個のシンボルであり、かつ、周波数領域における帯域幅の一部である。探索空間は、ハッシュ（ｈａｓｈ）関数に従って制御リソースセットＣＯＲＥＳＥＴにおいて算出される論理的な位置により形成される空間である。５Ｇ  ＮＲシステムにおいて、探索空間はまた、２個のタイプ、すなわち、端末デバイスの共通の探索空間及び特定の探索空間に分類される。アグリゲーションレベルは、１、２、４及び８に加えて、１６又は３２であってよい。端末デバイスは、構成された探索空間の周期に基づいてブラインド検出を実行する。したがって、複数の探索空間が同時に重複している可能性があり、この場合、端末デバイスは、少なくとも２つの探索空間をブラインド検出する必要がある。
【手続補正５】
【補正対象書類名】明細書
【補正対象項目名】０１９３
【補正方法】変更
【補正の内容】
【０１９３】
任意で、端末デバイスは、代わりに、探索空間の構成シグナリングの有効な時間に基づいて、探索空間の優先度を判定してよい。例えば、探索空間のタイプが共通の探索空間である場合、探索空間のタイプの優先度は、端末デバイスの特定の探索空間の優先度より高くなるように設定され得る。任意で、ミニスロットを占有する探索空間の優先度は、比較的高い優先度に設定され得る。任意で、長い周期を有する探索空間の優先度は、短い周期を有する探索空間の優先度より高くなるように設定され得る。
【手続補正６】
【補正対象書類名】明細書
【補正対象項目名】０２１１
【補正方法】変更
【補正の内容】
【０２１１】
具体的には、５Ｇ  ＮＲ通信システムにおいて、キャリアアグリゲーション（Ｃａｒｒｉｅｒ  Ａｇｇｒｅｇａｔｉｏｎ、ＣＡ）技術が、システム帯域幅を拡張するための方法として用いられ、進化型マルチアンテナ技術（多入力他出力、Ｍｕｌｔｉｐｌｅ−Ｉｎｐｕｔ  Ｍｕｌｔｉｐｌｅ−Ｏｕｔｐｕｔ、ＭＩＭＯ）及び協調マルチポイント技術（Ｃｏｏｒｄｉｎａｔｅｄ  Ｍｕｌｔｉ―Ｐｏｉｎｔ、ＣｏＭＰ）が、データレート及びシステム性能を向上させるために用いられる。キャリアアグリゲーション技術において、複数のキャリアが同じ端末デバイスに割り当てられる。予め設定された持続時間において、端末デバイスによりブラインド検出される必要がある探索空間の数は、アグリゲートされるキャリアのｎ倍になり、ｎは正の整数である。ＭＩＭＯ技術及びＣｏＭＰ技術の両方が、探索空間の数の増加をもたらす。探索空間の数の増加は、結果として、予め設定された持続時間内で端末デバイスにより実行される必要があるブラインド検出回数の変更をもたらす。
【国際調査報告】
2020537852.tif 000018
2020537852.tif 000019
2020537852.tif 000020
2020537852.tif 000021
2020537852.tif 000022
2020537852.tif 000023